(57)【要約】  ソフトウェア上で環境設定の複製・移動等を容易に変更できるように調整する補聴器調整装置を提供する。  補聴器１０１のパラメータを調整する補聴器調整装置１０４であって、操作入力を受け付ける入力手段２０１と、所定の環境設定ごとにパラメータを記憶するための記憶手段２０３と、環境設定ごとにパラメータを制御する制御手段２０２と、パラメータの情報を表示する表示手段２０４とを有し、入力手段２０１は、複数の前記環境設定を選択し、選択されたうちのひとつの環境設定を操作し、制御手段２０２は、入力手段２０１による操作に基づいて、選択された環境設定内のパラメータを一括変換する。
2009093301.tif 000002
【特許請求の範囲】
【請求項１】
補聴器のパラメータを調整する補聴器調整装置であって、
操作入力を受け付ける入力手段と、
所定の環境設定ごとに前記パラメータを記憶するための記憶手段と、
前記環境設定ごとに前記パラメータを制御する制御手段と、
前記パラメータの情報を表示する表示手段と
を有し、
前記入力手段は、複数の前記環境設定を選択し、選択されたうちのひとつの環境設定を操作し、
前記制御手段は、前記入力手段による操作に基づいて、選択された環境設定内のパラメータを一括変換する
補聴器調整装置。
【請求項２】
請求項１に記載の補聴器調整装置であって、
前記入力手段は、前記複数の環境設定および前記複数の環境設定内のパラメータを選択し、選択されたうちのひとつの環境設定の選択されたパラメータを操作し、
前記制御手段は、前記入力手段による操作に基づいて、選択された環境設定内の選択されたパラメータを一括変換する
補聴器調整装置。
【請求項３】
請求項１または２に記載の補聴器調整装置であって、
前記制御手段は、前記入力手段による操作に基づいて、前記操作元の環境設定または前記操作元の環境設定内のパラメータを前記操作元の環境設定とは異なる他の環境設定または前記他の環境設定内のパラメータへ複製する
補聴器調整装置。
【請求項４】
請求項３に記載の補聴器調整装置であって、
前記制御手段は、前記操作元の環境設定内のパラメータに所定のデータが設定されていない場合、前記他の環境設定内のパラメータへ複製することを禁止する
補聴器調整装置。
【請求項５】
請求項１に記載の補聴器調整装置であって、
前記制御手段は、前記入力手段による操作に基づいて、操作元の環境設定を前記操作元の環境設定とは異なる他の２つの環境設定間に移動する
補聴器調整装置。
【請求項６】
請求項３または５に記載の補聴器調整装置であって、
前記入力手段は、操作元の環境設定から操作先の環境設定へドラッグアンドドロップを行うことで操作する
補聴器調整装置。
【請求項７】
請求項１ないし５のいずれか１項に記載の補聴器調整装置であって、
前記表示手段は、更に、前記制御手段による制御を行うか否かのダイアログを表示する
補聴器調整装置。
【請求項８】
請求項１に記載の補聴器調整装置であって、更に、
前記補聴器のメモリに記憶させるための前記環境設定ごとのパラメータを含む信号を送信する通信手段を有する
補聴器調整装置。
【請求項９】
請求項８に記載の補聴器調整装置であって、
前記入力手段は、前記パラメータに含まれる所定の情報を変更するためのラベルを選択し、
前記制御手段は、前記ラベルの選択に基づいて、全ての環境設定の前記所定の情報を一括変更する
補聴器調整装置。
【請求項１０】
請求項８に記載の補聴器調整装置であって、
前記入力手段は、前記パラメータに含まれるボリュームの情報を変更するためのボリュームラベルを選択し、
前記制御手段は、前記ボリュームラベルの選択に基づいて、全ての環境設定のボリュームの情報を一括変更する
補聴器調整装置。
【請求項１１】
請求項８に記載の補聴器調整装置であって、
前記制御手段は、前記複数の環境設定に含まれる第１の環境設定のボリュームの情報以外のパラメータを、前記第１の環境設定以外の環境設定のボリュームの情報以外のパラメータへ複製する
補聴器調整装置。
【請求項１２】
請求項８または１０に記載の補聴器調整装置であって、
前記制御手段は、前記複数の環境設定に含まれる第１の環境設定のボリュームの情報に基づいて、各環境設定において異なるボリュームの情報を設定する
補聴器調整装置。
【請求項１３】
請求項１０ないし１２のいずれか１項に記載の補聴器調整装置であって、
前記表示手段は、更に、前記制御手段による制御を行うか否かのダイアログを表示する
補聴器調整装置。
【請求項１４】
請求項１０ないし１３のいずれか１項に記載の補聴器調整装置であって、
前記制御手段は、前記制御手段による制御を行う時を示すメモリ設定画面表示時には、前記表示手段にモーダル表示させる
補聴器調整装置。
【請求項１５】
補聴器のパラメータを調整する補聴器調整装置であって、
操作入力を受け付ける入力手段と、
所定の環境設定ごとに前記パラメータを記憶するための記憶手段と、
前記環境設定ごとに前記パラメータを制御する制御手段と、
前記パラメータの情報を表示する表示手段と、
前記補聴器のメモリに記憶させるための前記環境設定ごとのパラメータを含む信号を送信する通信手段と
を有する補聴器調整装置。
【請求項１６】
請求項１５に記載の補聴器調整装置であって、
前記入力手段は、前記パラメータに含まれる所定の情報を変更するためのラベルを選択し、
前記制御手段は、前記ラベルの選択に基づいて、全ての環境設定の前記所定の情報を一括変更する
補聴器調整装置。
【請求項１７】
請求項１５に記載の補聴器調整装置であって、
前記入力手段は、前記パラメータに含まれるボリュームの情報を変更するためのボリュームラベルを選択し、
前記制御手段は、前記ボリュームラベルの選択に基づいて、全ての環境設定のボリュームの情報を一括変更する
補聴器調整装置。
【請求項１８】
請求項１５に記載の補聴器調整装置であって、
前記制御手段は、前記複数の環境設定に含まれる第１の環境設定のボリュームの情報以外のパラメータを、前記第１の環境設定以外の環境設定のボリュームの情報以外のパラメータへ複製する
補聴器調整装置。
【請求項１９】
請求項１５または１７に記載の補聴器調整装置であって、
前記制御手段は、前記複数の環境設定に含まれる第１の環境設定のボリュームの情報に基づいて、各環境設定において異なるボリュームの情報を設定する
補聴器調整装置。
【請求項２０】
請求項１７ないし１９のいずれか１項に記載の補聴器調整装置であって、
前記表示手段は、更に、前記制御手段による制御を行うか否かのダイアログを表示する
補聴器調整装置。
【請求項２１】
請求項１７ないし２０のいずれか１項に記載の補聴器調整装置であって、
前記制御手段は、前記制御手段による制御を行う時を示すメモリ設定画面表示時には、前記表示手段にモーダル表示させる
補聴器調整装置。
【請求項２２】
当該補聴器を調整するための補聴器調整装置からの所定の環境設定ごとのパラメータを含む信号を受信する通信手段と、
前記パラメータを前記所定の環境設定ごとに記憶する記憶手段と、
複数の前記環境設定を切り替えるためのメモリ切り替え手段と
を有する補聴器。
【請求項２３】
請求項２２に記載の補聴器であって、更に、
前記メモリ切り替え手段によって環境設定を切り替えた場合、その旨を報知する報知手段を有する
補聴器。
【請求項２４】
請求項１ないし請求項２１のいずれか１項に記載の補聴器調整装置の各手段としてコンユータを機能させるためのプログラム。
【発明の詳細な説明】
【技術分野】
【０００１】
本発明は、補聴器調整装置、補聴器、およびプログラムに関し、特に、補聴器を調整するフィッティングソフトウェアの機能を有する補聴器調整装置、補聴器、およびプログラムに関するものである。
【背景技術】
【０００２】
従来の補聴器の環境設定による調整方法としては、使用環境によって、あらかじめ設定された複数種の騒音レベルに対応した複数種の利得制御パラメータを記憶する記憶手段と、その記憶手段を選択し記憶手段に記憶された利得制御パラメータに従って利得可変増幅器の利得を制御する制御手段を備えたものが考案されている（例えば特許文献１参照）。【０００３】
【特許文献１】特開平１０−２００９９６号公報
【発明の開示】
【発明が解決しようとする課題】
【０００４】
フィッティング調整作業では、複数のパラメータを順次決めていくため、特定パラメータのみを変更して調整することができれば効率的である。しかしながら、従来の補聴器の環境設定における調整方法は、複数の周囲の環境ごとにそれぞれ利得や、ボリュームを変化させていくものであり、複数の環境設定において、一括で変更したり、複数の環境設定の順序を入れ替えたりすることなどは考慮されていない。つまり、個別操作で環境設定ごとに設定、順序の入れ替えを行うことはできたが、一括操作で環境設定ごとに設定、順序の入れ替えを行うことはできなかった。そのため、利得やパラメータを設定するための時間を個別設定の都度要するものであった。【０００５】
また、従来の補聴器の環境設定における調整方法は、複数の周囲の環境ごとに利得や、ボリュームを変化させるものであり、複数の環境設定において、一括でボリューム調節を行うことは考慮されていない。つまり、個別操作で環境設定ごとにボリュームを設定することはできたが、一括操作で環境設定ごとにボリュームを設定することはできなかった。そのため、ボリューム等の特定のパラメータを設定するための時間を個別設定の都度要するものであった。また、ボリュームを個別設定するためにボリュームを調節するためのボリュームスイッチを設けることもあったが、耳穴などに装着する小型補聴器にボリュームスイッチを装備することは困難となることもあった。【０００６】
本発明は、上記事情を解決するためになされたもので、補聴器を調整するフィッティングソフトウェアの環境設定の一括変換、及び、複製・移動に関するものであり、補聴器本体のメモリ切り替えボタンの押下のみで、環境設定を変更することを可能とする補聴器調整装置、補聴器、およびプログラムを提供することを目的とする。【０００７】
また、補聴器を調整するフィッティングソフトウェアの環境設定のボリュームに関するものであり、補聴器本体のメモリ切り替えボタンの押下のみで、ボリュームを調節することを可能とする補聴器調整装置、補聴器、およびプログラムを提供することを目的とする。
【課題を解決するための手段】
【０００８】
上記目的を達成するために、本発明の第１の補聴器調整装置は、補聴器のパラメータを調整する補聴器調整装置であって、操作入力を受け付ける入力手段と、所定の環境設定ごとに前記パラメータを記憶するための記憶手段と、前記環境設定ごとに前記パラメータを制御する制御手段と、前記パラメータの情報を表示する表示手段とを有し、前記入力手段は、複数の前記環境設定を選択し、選択されたうちのひとつの環境設定を操作し、前記制御手段は、前記入力手段による操作に基づいて、選択された環境設定内のパラメータを一括変換する構成を有している。【０００９】
この構成により、元となる設定と似たような設定に調整したいと考えた場合、ひとつひとつのパラメータをひとつずつ変更していくこと無しに一度で複製を行えるため、調整時間の手間を省くことができる。【００１０】
また、本発明の第２の補聴器調整装置は、前記入力手段が、前記複数の環境設定および前記複数の環境設定内のパラメータを選択し、選択されたうちのひとつの環境設定の選択されたパラメータを操作し、前記制御手段が、前記入力手段による操作に基づいて、選択された環境設定内の選択されたパラメータを一括変換する構成を有している。【００１１】
この構成により、元となる設定の一部のパラメータと同一の変更を加えたいときなどに有効であり、一部のパラメータに対して一度で複製を行えるため、調整時間の手間を省くことができる。【００１２】
また、本発明の第３の補聴器調整装置は、前記制御手段が、前記入力手段による操作に基づいて、前記操作元の環境設定または前記操作元の環境設定内のパラメータを前記操作元の環境設定とは異なる他の環境設定または前記他の環境設定内のパラメータへ複製する構成を有している。【００１３】
この構成により、複製を行いたい設定と全く同じ設定の複製を行えるため、調整時間の手間を省くことができる。【００１４】
また、本発明の第４の補聴器調整装置は、前記制御手段が、前記操作元の環境設定内のパラメータに所定のデータが設定されていない場合、前記他の環境設定内のパラメータへ複製することを禁止する構成としている。【００１５】
この構成により、補聴器の着け心地や補聴器の音質をさらに良くすることが可能となる。【００１６】
また、本発明の第５の補聴器調整装置は、前記制御手段が、前記入力手段による操作に基づいて、操作元の環境設定を前記操作元の環境設定とは異なる他の２つの環境設定間に移動する構成を有している。【００１７】
この構成により、ある特定の環境設定を優先的に順序を入れ替えたり、挿入したり、交換したりすることができ、補聴器のメモリ切り替えの使用の際、容易に頻度の高いメモリ設定を最初に持ってきたりすることが可能である。【００１８】
また、本発明の第６の補聴器調整装置は、前記入力手段が、操作元の環境設定から操作先の環境設定へドラッグアンドドロップを行うことで操作する構成を有している。【００１９】
この構成により、ドラッグアンドドロップにより、複製を行いたい設定と全く同じ設定の複製を行えるため、調整時間の手間を省くことができる。また、ドラッグアンドドロップにより、ある特定の環境設定を優先的に順序を入れ替えたり、挿入したり、交換したりすることができ、補聴器のメモリ切り替えの使用の際、容易に頻度の高いメモリ設定を最初に持ってきたりすることが可能である。【００２０】
また、本発明の第７の補聴器調整装置は、前記表示手段が、更に、前記制御手段による制御を行うか否かのダイアログを表示する構成を有している。【００２１】
この構成により、パラメータ設定前に設定していた内容が突然失われることなく、補聴器調整装置の操作者にその警告ダイアログを表示させることで、設定していたパラメータ値を削除してもよいかどうかを判断する機会を与え、更に例えば「複製」するのか「移動」するのかという２点をユーザーにウィザードで問うことにより、安心して環境設定の調整を行わせることが可能である。【００２２】
また、本発明の第８の補聴器調整装置は、前記補聴器のメモリに記憶させるための前記環境設定ごとのパラメータを含む信号を送信する通信手段を有する構成を有している。【００２３】
この構成により、補聴器の装用者がよく置かれる環境、例えば「騒がしい場所」や「電車の中」などを補聴器調整装置で設定し、補聴器本体の記憶手段にメモリ設定情報を送信することで、装用者は補聴器本体のメモリ切り替えボタンの押下によって、これらの環境設定に切り替えることができる。【００２４】
また、本発明の第９の補聴器調整装置は、前記入力手段が、前記パラメータに含まれる所定の情報を変更するためのラベルを選択し、前記制御手段が、前記ラベルの選択に基づいて、全ての環境設定の前記所定の情報を一括変更する構成としている。【００２５】
この構成により、所定のラベル（例えばボリュームボタンやモデラートボタン）の押下により、基準となる推奨設定を元に、各環境設定の所定の情報が一度に変更できるので、補聴器本体のメモリ切り替えボタンの選択、押下のみで、各種調整を行うことが可能となる。【００２６】
また、本発明の第１０の補聴器調整装置は、前記入力手段が、前記パラメータに含まれるボリュームの情報を変更するためのボリュームラベルを選択し、前記制御手段が、前記ボリュームラベルの選択に基づいて、全ての環境設定のボリュームの情報を一括変更する構成を有している。【００２７】
この構成により、「ボリューム」ボタンの押下により、基準となる推奨設定を元に、各環境設定のボリュームが一度に変更できるので、補聴器本体のメモリ切り替えボタンの選択、押下のみで、ボリューム調整を行うことが可能となる。【００２８】
また、本発明の第１１の補聴器調整装置は、前記制御手段が、前記複数の環境設定に含まれる第１の環境設定のボリュームの情報以外のパラメータを、前記第１の環境設定以外の環境設定のボリュームの情報以外のパラメータへ複製する構成を有している。【００２９】
この構成により、ボリューム以外のパラメータは全て推奨設定と同じになり、ボリュームのみの変化であるので、補聴器本体のメモリ切り替えボタンの選択、押下のみで、ボリューム調整を行うことが可能となる。【００３０】
また、本発明の第１２の補聴器調整装置は、前記制御手段が、前記複数の環境設定に含まれる第１の環境設定のボリュームの情報に基づいて、各環境設定において異なるボリュームの情報を設定する構成を有している。【００３１】
この構成により、ボリューム以外のパラメータは複製、ボリュームのみメモリ設定ごとに、例えばあらかじめ設定された差分で設定され（例：設定Ａ＝−４ｄＢ、設定Ｂ＝推奨設定のＶｏｌ、設定Ｃ＝＋４ｄＢ、設定Ｄ＝＋６ｄＢ）、適度なボリューム間隔により快適な聞こえを提供することが可能となる。【００３２】
また、本発明の第１３の補聴器調整装置は、前記表示手段が、更に、前記制御手段による制御を行うか否かのダイアログを表示する構成を有している。【００３３】
この構成により、「ボリューム」ボタン押下前に設定していた内容が突然失われることなく、補聴器調整装置の操作者にその警告ダイアログを表示させることで、設定していたパラメータ値を削除してもよいかどうかを判断する機会を与え、安心してボリューム一括変更の機能を使用することができる。【００３４】
また、本発明の第１４の補聴器調整装置は、前記制御手段が、前記制御手段による制御を行う時を示すメモリ設定画面表示時には、前記表示手段にモーダル表示させる構成を有している。【００３５】
この構成により、メモリ設定画面の裏側にあるパラメータ調整の画面の設定を操作できないようにさせることによって、操作中のメモリ設定画面のパラメータとの不一致を防ぐことができる。【００３６】
また、本発明の第１の補聴器は、当該補聴器を調整するための補聴器調整装置からの所定の環境設定ごとのパラメータを含む信号を受信する通信手段と、前記パラメータを前記所定の環境設定ごとに記憶する記憶手段と、複数の前記環境設定を切り替えるためのメモリ切り替え手段とを有する構成を有している。【００３７】
この構成により、通常は「騒がしい場所」「電車の中」「テレビ・音楽」「電話」などのシチュエーションによる環境設定ごとにメモリを切り替える用途で使用するメモリ切り替え機能を、例えば推奨設定を元にボリューム以外は各環境設定を複製することにより、ボリュームのみ各環境設定で変化を付けることになるので、例えばメモリ切り替えボタンがボリューム切り替えボタンの用途として使用でき、装用者の利便性が高まる。【００３８】
また、本発明の第２の補聴器は、前記メモリ切り替え手段によって環境設定を切り替えた場合、その旨を報知する報知手段を有する構成を有している。【００３９】
この構成により、補聴器の使用者はメモリ切り替えのタイミングを知ることが可能である。【００４０】
また、本発明の第１のプログラムは、上記補聴器調整装置の各手段としてコンピュータを機能させるためのプログラムである。【００４１】
このプログラムにより、例えば、元となる設定と似たような設定に調整したいと考えた場合、ひとつひとつのパラメータをひとつずつ変更していくこと無しに一度で複製を行えるため、調整時間の手間を省くことができる。そして、プログラムであるので汎用コンピューターやサーバーを用いて本発明の補聴器調整装置の一部あるいは全てを容易に実現することができる。また記憶媒体に記憶したり通信回線を用いてプログラムを配信したりすることでプログラムの配布やインストール作業が簡単にできる。
【発明の効果】
【００４２】
本発明は、複数の環境設定を選択したうちそのうちのひとつを操作することで、選択された全てのパラメータが連動することにより一括変換ができるので、元となる設定と似たような設定に調整したいと考えた場合、ひとつひとつのパラメータをひとつずつ変更していくこと無しに一度で複製を行えるため、調整時間の手間を省くという効果を有する補聴器調整装置、補聴器、およびプログラムを提供することができるものである。【００４３】
また、本発明は、環境設定ごとに利得やボリュームなどのパラメータを制御する制御手段を備え、複数の環境設定ごとに補聴器にメモリを記憶させることができるので、前記制御手段には基準となる推奨設定を元にして、他の複数の設定へボリューム以外のパラメータを記憶手段へ複製させることにより、ボリュームのみ各環境設定で変化を付けることで、メモリ切り替えボタンがボリューム切り替えボタンの用途として使用できるので、装用者の利便性を高めるという効果を有する補聴器調整装置、補聴器、およびプログラムを提供することができるものである。
【図面の簡単な説明】
【００４４】
【図１】本発明の実施形態における補聴器調整システムの構成図
【図２】本発明の実施形態における補聴器調整装置のブロック図
【図３】本発明の第１の実施形態における補聴器調整装置の動作フローチャート
【図４】本発明の第２の実施形態における補聴器調整装置の動作フローチャート
【図５】本発明の第１および第２の実施形態における補聴器調整装置のＧＵＩ（デフォルト時）
【図６】本発明の第１の実施形態における補聴器調整装置のＧＵＩ（環境設定選択時）
【図７】本発明の第１の実施形態における補聴器調整装置のＧＵＩ（環境設定複製後）
【図８】本発明の第１の実施形態における補聴器調整装置のＧＵＩ（環境設定の一部パラメータ選択時）
【図９】本発明の第１の実施形態における補聴器調整装置のＧＵＩ（環境設定の一部パラメータ複製後）
【図１０】本発明の第２の実施形態における補聴器調整装置のＧＵＩ（ドラッグ時の例）
【図１１】本発明の第２の実施形態における補聴器調整装置のＧＵＩ（ドラッグアンドドロップ後の複製例）
【図１２】本発明の第２の実施形態における補聴器調整装置のＧＵＩ（ドラッグアンドドロップ後の移動例）
【図１３】本発明の第３の実施形態における補聴器調整装置の動作フローチャート
【図１４】本発明の第３の実施形態における補聴器調整装置のＧＵＩ（デフォルト時）
【図１５】本発明の第３の実施形態における補聴器調整装置のＧＵＩ（ボリュームボタン押下時のダイアログ表示）
【図１６】本発明の第３の実施形態における補聴器調整装置のＧＵＩ（ボリュームボタン押下後）
【図１７】本発明の第３の実施形態における補聴器調整装置のＧＵＩ（モデラートボタン押下後）
【符号の説明】
【００４５】
１０１  補聴器
１０２  調整ユニット
１０３  通信ユニット
１０４  補聴器調整装置
２０１  入力手段
２０２  制御手段
２０３  記憶手段
２０４  表示手段
２０５  通信手段
２０６  通信手段
２０７  制御手段
２０８  記憶手段
２０９  メモリ切り替え手段
２１０  音声入出力手段
５０１  設定Ａ
５０２  設定Ｂ
５０３  設定Ｃ
５０４  設定Ｄ
５０５  拡張メモリ
６０１  設定Ａ
６０２  設定Ｂ
６０３  設定Ｃ
６０４  設定Ｄ
６０５  拡張メモリ
７０１  設定Ａ
７０２  設定Ｂ
７０３  設定Ｃ
７０４  設定Ｄ
７０５  拡張メモリ
８０１  設定Ａ
８０２  設定Ｂ
８０３  設定Ｃ
８０４  設定Ｄ
８０５  拡張メモリ
９０１  設定Ａ
９０２  設定Ｂ
９０３  設定Ｃ
９０４  設定Ｄ
９０５  拡張メモリ
１００１  設定Ａ
１００２  設定Ｂ
１００３  設定Ｃ
１００４  設定Ｄ
１００５  拡張メモリ
１００６  警告ダイアログ
１００７  ドラッグ選択状態設定Ａ
１１０１  設定Ａ
１１０２  設定Ｂ
１１０３  設定Ｃ
１１０４  設定Ｄ
１１０５  拡張メモリ
１２０１  設定Ａ
１２０２  設定Ｂ
１２０３  設定Ｃ
１２０４  設定Ｄ
１２０５  拡張メモリ
１４０１  設定Ａ
１４０２  設定Ｂ
１４０３  設定Ｃ
１４０４  設定Ｄ
１４０５  拡張メモリ
１５０１  設定Ａ
１５０２  設定Ｂ
１５０３  設定Ｃ
１５０４  設定Ｄ
１５０５  拡張メモリ
１５０６  警告ダイアログ
１６０１  設定Ａ
１６０２  設定Ｂ
１６０３  設定Ｃ
１６０４  設定Ｄ
１６０５  拡張メモリ
【発明を実施するための最良の形態】
【００４６】
以下、本発明の実施形態の補聴器調整装置、補聴器、およびプログラムについて、図面を参照しながら詳細に説明する。尚、下記実施形態によって本発明が限定されるものではない。また、下記実施形態では、環境設定のパラメータについて主に説明するが、難聴者の聴力特性をパラメータとして考慮することもある。【００４７】
（第１の実施形態）
以下、本発明の第１の実施形態の補聴器調整装置について図面を用いて説明する。
本発明の第１の実施形態の補聴器調整における構成図を図１に示す。
図１において、１０１は補聴器、１０２は調整ユニット、１０３は通信ユニット、１０４は補聴器調整装置であり、これらが補聴器調整システムの構成図である。【００４８】
補聴器１０１はパソコンなどで調整することが可能なデジタル補聴器である。符号１０２は調整ユニットであり、補聴器１０１の片耳、もしくは両耳と接続でき、通信機能を備え、通信ユニット１０３とＵＳＢ接続やＢｌｕｅｔｏｏｔｈ通信などによりデータの送受信を行うことが可能である。通信ユニット１０３と接続されている補聴器調整装置１０４は、パソコンや、ＰＤＡなどの携帯端末の主に入力手段、記憶手段、表示手段を備えたものであり、補聴器を調整するアプリケーションソフトウェアを備え、通信手段などによって、補聴器１０１の調整を行うことができる。【００４９】
なお、補聴器１０１の使用者が耳に装着した状態で補聴器１０１のボリュームや利得や環境設定などを調整するのが好ましい。調整ユニット１０２を介して補聴器調整装置１０４および補聴器１０１が無線通信により補聴器調整を行うことにより、例えば補聴器１０１の使用者と調整者が互いに向かいあって補聴器調整を行うことが可能であり、補聴器１０１の使用者および調整者の双方の利便性が向上する。【００５０】
図２は本発明の実施形態における補聴器調整装置の構成の一例を示すブロック図である。以下、それぞれの機能の概要について説明する。【００５１】
補聴器１０１を調整する補聴器調整装置１０４は、入力手段２０１、制御手段２０２、記憶手段２０３、表示手段２０４、通信手段２０５を有して構成される。【００５２】
入力手段２０１は例えばパソコンにおけるキーボードやマウスであり、文字の入力や、マウスのクリックなどのコマンドを入力できる。補聴器調整装置１０４は、前述したように補聴器を調整するアプリケーションソフトウェアがインストールされており、アプリケーションのメニューには補聴器を試聴するコンテンツを始め、聴力入力機能、補聴器の調整機能、顧客管理などのコンテンツがあり、入力手段２０１を操作して、各画面へ遷移できる構造となっている。【００５３】
このアプリケーションにおいて、入力手段２０１によって、調整したい環境設定機能を備えた補聴器を選択し、制御手段２０２によってメモリ設定の機能を有するボタンの押下を検出することで、制御手段２０２は、各環境設定を設定する画面を起動させる。入力手段２０１によって入力された各環境設定の設定は記憶手段２０３によって記憶され、表示手段２０４によってＧＵＩによって確認できる。記憶手段２０３によって記憶された設定は通信手段２０５によって、調整ユニット１０２を介し、補聴器１０１の通信手段２０６とデータ通信を行う。【００５４】
また、補聴器１０１は、通信手段２０６、制御手段２０７、記憶手段２０８、メモリ切り替え手段２０９、音声入出力手段２１０を有して構成される。【００５５】
補聴器調整装置１０４からのデータを通信手段２０６を介して入手した制御手段２０７は、記憶手段２０８にこのデータを記憶させる。記憶された各環境設定は、メモリ切り替え手段２０９によって、切り替えることが可能であり、その結果、各環境設定で設定された聞こえを、音声入出力手段２１０によって確認することができる。【００５６】
図３は補聴器調整装置１０４および補聴器１０１の制御におけるフローチャートであり、図２の構成によって実施される動作の一例をフローチャート形式で示したものである。なお、ステップＳ１０１〜Ｓ１０６までの処理は補聴器調整装置１０４によって実施され、ステップＳ１０７〜Ｓ１１２までの処理は補聴器１０１によって実施される。【００５７】
まず、制御手段２０２が、補聴器調整ソフトのアプリケーションを起動（図３のステップＳ１０１）させ、メモリ切り替え機能に対応した機種を選択（図３のステップＳ１０２）する。選択後、制御手段２０２が、メモリ設定を行うためのダイアログを表示させるためにメモリ設定を行うためのボタンの押下を検出し、メモリ設定画面を起動（図３のステップＳ１０３）させる。【００５８】
メモリ設定画面起動後、表示手段２０４が、図５のようなデフォルト画面を表示する。このとき、制御手段２０２がメモリ設定画面表示時ではモーダル表示させており、メモリ設定画面の裏側にあるパラメータ調整画面を操作できないようになっているため、操作中のメモリ設定画面のパラメータとの不一致を防ぐことができる。このメモリ設定画面において、設定Ａ５０１を基準となる「推奨設定」とする。この設定Ａ５０１のパラメータは、このメモリ設定画面を開く前の補聴器調整ソフトの前出のパラメータ調整画面のパラメータ設定をベースとしており、そのパラメータ値をこの設定Ａ５０１の箇所に複製したものである。【００５９】
以下、一例として、デフォルトでは、設定Ｂ５０２は、あらかじめ環境設定に「騒がしい場所」で聞くために有効なメモリが設定されており、必要に応じて、ボリュームや利得、環境騒音抑制、モデラート、ハウリング抑圧、低域雑音カットなどのパラメータを変更することが可能である。また、設定Ｃ５０３と設定Ｄ５０４は、環境設定が設定されておらず、「未使用」などの表記で、入力手段２０１によって入力操作することが不可となっている非活性状態である。これらは一例であるので、メモリ設定の可能な個数は今回のように４つであったり、３つや、５つであったりメモリ数は問わない。【００６０】
次に「拡張メモリ」の機能について説明する。
図５のように、メモリ設定画面には「拡張メモリ」ラベルがあり、「拡張メモリ」ラベルには「個別設定」「ボリューム」「未使用」の３つボタンが用意されており、ここではこれらをまとめて拡張メモリ選択５０５と呼ぶことにする。デフォルトは図５のように「個別設定」ボタンが押下されている状態であり、必要に応じて、入力手段２０１が、一括でボリュームを変更する「ボリューム」ボタンや、設定Ａ以外の全ての環境設定を使用しない「未使用」ボタンを押下することで、制御手段２０２が、押下検出可能である。また、入力手段２０１が、設定Ｃ５０３や、設定Ｄ５０４の「未使用」の状態からプルダウン選択して、制御手段２０２が、他の環境設定に切り替えることができる。環境設定には「推奨設定」「騒がしい場所」の他、「電車の中」「パーティ（宴会）」「テレビ・音楽」「電話」「静かな場所」など様々な環境設定が用意されている。これらに近い場所で聴く場合にこれらの環境を上記プルダウンの中から入力手段２０１が選択することで、その環境に合った適切な聴こえを可能とする。【００６１】
次に環境設定の複製方法を説明する。
図６のように、入力手段２０１が、複製元となる環境設定の設定○（ここでは「設定Ａ」）のラベルを押下し、更に複製したい複製先の設定△（ここでは「設定Ｃ」）のラベルを押下する（図３のステップＳ１０４）。制御手段２０２は、これらの押下を検出した後、複製元設定Ａの環境設定の変更を行い（図３のステップＳ１０５）と、設定Ｃとして設定Ａの全パラメータを複製（図３のＳ０６）する。これにより、図７のように設定Ｃは設定Ａと同じ設定になる。ここで、複製元の設定Ａを複製先の設定Ｃへ複製をする方法を記述したが、複製先は設定Ｃ１つのみではなく、２つでも３つでもよい。【００６２】
その後、通信手段２０５が、調整ユニット１０２を介して、補聴器１０１へ書き込み（図３のステップＳ１０７）して各メモリデータを補聴器１０１側に記憶させる。補聴器１０１のメモリ設定は、メモリ切り替え手段２０９によってデフォルトとしてメモリＡの状態とする。そして、デフォルトとしてのメモリＡの状態から、図示しない入力手段によるメモリ切り替えボタンの押下により（図３のステップＳ１０８）、メモリ切り替え手段２０９によりメモリＢに変更（図３のＳ１０９）され、再び図示しない入力手段によるメモリ切り替えボタンの押下により、メモリ切り替え手段２０９によりメモリＣに変更（図３のＳ１１０）され、再び図示しない入力手段によるメモリ切り替えボタンの押下により、メモリ切り替え手段２０９によりメモリＤ（図３のステップＳ１１１）に変更される。また、メモリＤから再び図示しない入力手段によりメモリ切り替えボタンを押下すると、メモリ切り替え手段２０９によりメモリＡへ変更（図３のＳ１１２）される。なお、メモリ切り替え（変更）は任意である。【００６３】
なお、メモリＡ〜メモリＤは、例えば補聴器２０１の記憶手段２０８内のメモリ領域を示すものであり、メモリＡ〜メモリＤには、例えば設定Ａ〜設定Ｄのパラメータの情報が格納される。【００６４】
なお、メモリ切り替え手段２０９によってメモリ切り替えを行う際には、図示しない報知手段により、メモリ切り替えを行った旨を報知するようにしてもよい。【００６５】
以上によって、ある環境設定のパラメータの変換が一度に行うことができるようになり、パラメータの一括複製が容易に可能となる。【００６６】
前述の例では、環境設定そのもののパラメータを全て複製する手法について述べたが、もう一つの複製方法として、特定のパラメータのみを複製するものがあるので以下に述べる。【００６７】
基本的には前述した環境設定ごとの一括パラメータ変更と同じであるが、ここでは、図８のように、複製元となる環境設定の設定○（ここでは「設定Ａ」）の特定のパラメータの１ラベルないし、複製したい複数のラベル（ここでは環境騒音抑制、低域雑音カット）を入力手段２０１によって押下して選択する。更に複製したい複製先の設定△（ここでは「設定Ｂ」）の複製元と同じパラメータラベルを入力手段２０１によって選択し、そのラベルを押下する（図３のステップＳ１０４）。制御手段２０２によってこれらの選択や押下を検出した後、制御手段２０２によって複製元設定Ａの一部のパラメータの環境設定の変更を行うと（図３のステップＳ１０５）、制御手段２０２によって設定Ｂは設定Ａの一部のパラメータを複製（図３のステップＳ１０６）し、図９のように設定Ａと同じ設定になる。ここで、複製元の設定Ａを複製先の設定Ｂへ複製をする方法を記述したが、複製先は設定Ｂ１つのみではなく、２つでも３つでもよい。その後は、前述と同様、補聴器１０１へ書き込み（図３のステップＳ１０７）して各メモリデータを補聴器１０１側に記憶させる。補聴器１０１のメモリ設定は、デフォルトとしてメモリＡの状態とする。そして、デフォルトとしてのメモリＡの状態から、メモリ切り替えボタンの押下により（図３のステップＳ１０８）、メモリＢに変更（図３のステップＳ１０９）され、再びメモリ切り替えボタンの押下により、メモリＣに変更（図３のステップＳ１１０）され、再びメモリ切り替えボタンの押下により、メモリＤ（図３のステップＳ１１１）に変更される。また、メモリＤから再びメモリ切り替えボタンを押下すると、メモリＡへ変更（図３のステップＳ１１２）される。なお、メモリ切り替え（変更）は任意である。【００６８】
なお、ここでは主体の説明を省略したが、前述と同様に、メモリ切り替え手段２０９によってメモリ切り替え（変更）を行う際には、図示しない報知手段により、メモリ切り替えを行った旨を報知するようにしてもよい。【００６９】
以上によって、ある環境設定の一部のパラメータの変換が一度に行うことができるようになり、一部のパラメータの一括複製が容易に可能となる。【００７０】
なお、基本的には、設定Ａから設定ＢやＣやＤ、設定Ｂから設定ＡやＣやＤに対して設定パラメータの全てまたは一部を複製することが可能であるが、複製元が「未設定」（つまり複製元の環境設定のパラメータとして所定のデータが設定されていない）状態であり、複製先が設定Ａである場合には、制御手段２０２は、この複製を禁止することができる。例えば、図５の状態から、設定Ｃを設定Ａに複製することを禁止することができるこれにより、補聴器の着け心地や補聴器の音質をさらに良くすることが可能となる。【００７１】
このような本発明の第１の実施形態の補聴器調整装置１０４によれば、操作入力を受け付ける入力手段２０１と、所定の環境設定ごとにパラメータを記憶するための記憶手段２０３と、環境設定ごとにパラメータを制御する制御手段２０２と、パラメータの情報を表示する表示手段２０４とを有し、入力手段２０１は、複数の前記環境設定を選択し、選択されたうちのひとつの環境設定を操作し、制御手段２０２は、入力手段２０１による操作に基づいて、選択された環境設定内のパラメータを一括変換することができるので、制御手段２０２には基準となる推奨設定を元にして、他の複数の環境設定へ環境設定そのものを複製、または、環境設定の一部のパラメータの複製を行うことができる。【００７２】
（第２の実施形態）
本発明の第２の実施形態の補聴器調整における構成図、及び、ブロック図は本発明の第１の実施形態と同様である。
変更点としては、複製方法、及び、移動方法である。【００７３】
図４は補聴器調整装置１０４および補聴器１０１の制御におけるフローチャートの他の例であり、図２の構成によって実施される動作の一例をフローチャート形式で示したものである。なお、ステップＳ１１３〜Ｓ１１９までの処理は補聴器調整装置１０４によって実施され、ステップＳ１２０〜Ｓ１２５までの処理は補聴器１０１によって実施される。【００７４】
まず、制御手段２０２が、補聴器調整ソフトのアプリケーションを起動（図４のステップＳ１１３）させ、メモリ切り替え機能に対応した機種を選択（図４のステップＳ１１４）する。選択後、制御手段２０２が、メモリ設定を行うためのダイアログを表示させるためにメモリ設定を行うためのボタンの押下を検出し、メモリ設定画面を起動（図４のステップＳ１１５）させる。【００７５】
そして、デフォルトの図５の状態から、入力手段２０１が、複製元・移動元となる環境設定の設定○（ここでは「設定Ａ」）のラベルをドラッグ（図４のステップＳ１１６）し、更に複製・移動したい複製先・移動先の設定△（ここでは「設定Ｃ」）のラベルへドロップを行う（図４のステップＳ１１７）。【００７６】
すると図１０のように、表示手段２０４によって警告ダイアログ１００６が表示され、複製を行うか、移動を行うかの選択を操作者の指示により行わせる（図４のステップＳ１１８）。ここでは、設定Ａがドラッグされていることを示すドラッグ選択状態設定Ａ１００７も表示手段２０４によって表示されている。図１０では設定Ａの内容が図示されていないが、各設定情報が表示されながら移動されることが可能である。なお、警告ダイアログは、設定作業において必要に応じて表示させることが可能である。【００７７】
ここで、入力手段２０１がキャンセルを押下した場合には、制御手段２０２が、ドラッグ前の状態に遷移（図５のデフォルト状態）させる。【００７８】
「複製」を押下した場合には、制御手段２０２によって設定Ａの全ての環境設定パラメータ情報が設定Ｃにコピーされ、設定Ａと設定Ｃは同じ状態になる（図４のステップＳ１１９）。図１１は、この場合の表示手段２０４による表示結果の一例である。【００７９】
一方、「移動」を押下した場合には、制御手段２０２によって、設定Ａの全ての環境設定パラメータ情報が設定Ｃに移動コピーされ、移動前の設定Ａは設定Ｂの環境設定へ移動される（図４のステップＳ１１９）。図１２は、この場合の表示手段２０４による表示結果の一例である。このように移動した場合には、例えば、図５における設定Ｃおよび設定Ｄの間に設定Ａの「推奨設定」が挿入され、図５における設定Ｂおよび設定Ｃは１つずつ左へシフトし、設定の順序が並び替えられる。【００８０】
ここでは「複製」「移動」の挙動について述べたが、他の機能としては「交換」という機能を設けて、制御手段２０２によって、ドロップ操作を実施中の環境設定のパラメータ値とドラッグ操作開始環境設定のパラメータ値が入れ替えることができるという機能も考えられる。例えば、図５の状態から、設定Ａと設定Ｃとを交換することが可能である。【００８１】
その後は、第１の実施形態と同様、つまり、図３のステップＳ１０７〜ステップＳ１１２と同様の処理を行う。補聴器１０１へ書き込み（図４のステップＳ１２０）して各メモリデータを補聴器１０１側に記憶させる。補聴器１０１のメモリ設定は、デフォルトとしてメモリＡの状態とする。そして、デフォルトとしてのメモリＡの状態から、メモリ切り替えボタンの押下により（図４のステップＳ１２１）、メモリＢに変更（図４のステップＳ１２２）され、再びメモリ切り替えボタンの押下により、メモリＣに変更（図４のステップＳ１２３）され、再びメモリ切り替えボタンの押下により、メモリＤ（図４のステップＳ１２４）に変更される。また、メモリＤから再びメモリ切り替えボタンを押下すると、メモリＡへ変更（図４のステップＳ１２５）される。【００８２】
なお、ここでは主体の説明を省略したが、第１の実施形態と同様に、メモリ切り替え手段２０９によってメモリ切り替えを行う際には、図示しない報知手段により、メモリ切り替えを行った旨を報知するようにしてもよい。【００８３】
なお、基本的には、いずれの設定についても移動や並び替えや交換を行うことが可能であるが、移動や並び替えや交換の結果、移動先または並び替え先または交換先の設定Ａが「未設定」となる場合には、制御手段２０２は、これらの動作を禁止する。【００８４】
以上によって、ある環境設定のパラメータの変換がドラッグアンドドロップの操作のみによって、複製、または、移動を行うことができ、パラメータの複製・移動が容易に可能となる。【００８５】
このような本発明の第２の実施形態の補聴器調整装置１０４によれば、入力手段２０１が、操作元の環境設定から操作先の環境設定へドラッグアンドドロップを行うことで操作するので、複製したい場所に容易に複製を行うことができる、または、移動したい場所に容易に移動を行うことができるため、基準となる設定（複製元・移動元）と似たような設定に調整したいと考えた場合、ひとつひとつのパラメータをひとつずつ変更していくこと無しに一度で複製、及び、移動を行えるため、調整時間の手間を省くことができる。また、警告ダイアログを表示することによって設定途中のパラメータデータの消去を防ぐことができる。【００８６】
（第３の実施形態）
本発明の第３の実施形態の補聴器調整における構成図、及び、ブロック図は本発明の第１の実施形態と同様である。【００８７】
図１３は補聴器調整装置１０４および補聴器１０１の制御におけるフローチャートの更に他の例であり、図２の構成によって実施される動作の一例をフローチャート形式で示したものである。なお、ステップＳ２０１〜Ｓ２０６までの処理は補聴器調整装置１０４によって実施され、ステップＳ２０７〜Ｓ２１２までの処理は補聴器１０１によって実施される。【００８８】
まず、制御手段２０２が、補聴器調整ソフトのアプリケーションを起動（図１３のステップＳ２０１）させ、メモリ切り替え機能に対応した機種を選択（図１３のステップＳ２０２）する。選択後、制御手段２０２が、メモリ設定を行うためのダイアログを表示させるためにメモリ設定を行うためのボタンの押下を検出し、メモリ設定画面を起動（図１３のＳ２０３）させる。【００８９】
メモリ設定画面起動後、表示手段２０４が、図１４のようなデフォルト画面を表示する。このとき、制御手段２０２がメモリ設定画面表示時ではモーダル表示させており、メモリ設定画面の裏側にあるパラメータ調整の画面の調整を操作できないようになっているため、操作中のメモリ設定画面のパラメータとの不一致を防ぐことができる。このメモリ設定画面において、設定Ａ１４０１を基準となる「推奨設定」とする。この設定Ａ１４０１のパラメータはこのメモリ設定画面を開く前の補聴器調整ソフトの前出のパラメータ調整画面のパラメータ設定をベースとしており、そのパラメータ値をこの設定Ａ１４０１の箇所に複製したものである。【００９０】
以下、一例として、デフォルトでは、設定Ｂ１４０２は、あらかじめ環境設定に「騒がしい場所」で聞くために有効なメモリが設定されており、必要に応じて、ボリュームや利得、環境騒音抑制、モデラート、ハウリング抑圧、低域雑音カットなどのパラメータを変更することが可能である。【００９１】
また、設定Ｃ１４０３と設定Ｄ１４０４には環境設定は設定されておらず、「未使用」などの表記で、入力手段２０１によって入力操作することが不可となっている非活性状態である。これらは一例であるので、メモリ設定の可能な個数は今回のように４つであったり、３つや、５つであったりメモリ数は問わない。【００９２】
次に「拡張メモリ」の機能について説明する。
図１４のように「拡張メモリ」ラベルには「個別設定」「ボリューム」「未使用」の３つボタンが用意されており、ここではこれらをまとめて拡張メモリ選択１４０５と呼ぶことにする。デフォルトは図１４のように「個別設定」ボタンが押下されている状態であり、必要に応じて、入力手段２０１が「ボリューム」ボタンや、「未使用」ボタンを押下することで、制御手段２０２が、押下検出可能である。また、入力手段２０１が、設定Ｃ１４０３や、設定Ｄ１４０４の「未使用」の状態からプルダウン選択して、制御手段２０２が、他の環境設定に切り替えることができる。環境設定には「推奨設定」「騒がしい場所」の他、「電車の中」「パーティ（宴会）」「テレビ・音楽」「電話」「静かな場所」など様々な環境設定が用意されている。これらに近い場所で聴く場合にこれらの環境を上記プルダウンの中から入力手段２０１が選択することで、その環境に合った適切な聴こえを可能とする。なお、「拡張メモリ」ラベルとしては、上記３つの他の情報（例えばモデラート）をラベルとして用意してもよい。【００９３】
拡張メモリ１４０５の「未使用」ボタンの押下を制御手段２０２が検出することにより、設定Ｂ１４０２〜設定Ｄ１４０４は非活性状態となり、プルダウンによって環境設定を選択しない限りは他のパラメータは操作できない状態となる。これによって、補聴器１０１側ではメモリ機能は設定Ａのみ使用が可能となる。また「未使用」ボタン押下状態から、設定Ｂ１４０２〜設定Ｄ１４０４の環境設定のいずれか操作すると、「未使用」ボタン押下状態は解除され、制御手段２０２によって「個別設定」ボタンの押下が検出され、設定Ｂ１４０２〜設定Ｄ１４０４のいずれかの環境設定を行えることが可能となる。【００９４】
次に拡張メモリ１４０５の「ボリューム」ボタンの挙動について説明する。
図１４のメモリ設定画面において、入力手段２０１が、拡張メモリ１４０５の「ボリューム」ボタンを選択し、押下（図１３のステップＳ２０４）する。【００９５】
そこで、その押下前に設定Ｂ１４０２〜設定Ｄ１４０４において、パラメータ変更作業をしている可能性があるため、そのパラメータ設定を誤って消してしまわないように、制御手段２０２が、表示手段２０４に図１５の警告ダイアログ１５０６を表示（図１３のＳ２０５）させる。入力手段２０１が「いいえ」を選択した場合は、制御手段２０２によって、「ボリューム」ボタン押下前の図１４の状態に戻る。また、入力手段２０１が、「はい」を選択した場合には、制御手段２０２によって、設定Ａ１５０１に設定してあるパラメータのボリューム以外の全てを設定Ｂ１５０２〜設定Ｄ１５０４に複製（図１３のＳ２０６）する。「はい」を選択した場合の状態が図１６である。なお、警告ダイアログは、設定作業において必要に応じて表示させることが可能である。【００９６】
ここで、ボリュームのみにおいては、制御手段２０２が、設定Ａ１５０１のボリューム値を設定Ｂ１６０２へ複製（図１６の設定Ｂ１６０２参照）し、これを基準として、設定Ａ１５０１は設定Ｂ１６０２より４ｄＢ下げた値（図６の設定Ａ１６０１参照）、設定Ｃ１５０３は設定Ｂ１６０２より４ｄＢ上げた値（図１６の設定Ｃ１６０３参照）、設定Ｄ１５０４は設定Ｂ１６０２より６ｄＢ上げた値（図１６の設定Ｄ１６０４参照）へ変更させる。この変更値の差分量は一例であり、これらに限定されるものではない。【００９７】
入力手段１０２によるメモリ設定の「ボリューム」ボタン押下により、ボリューム以外のパラメータは全て同一、かつ、ボリューム値のみ差分を持たせることによって、通信機能２０５が、調整ユニット１０２を介して、補聴器１０１へ書き込み（図１３のステップＳ２０７）して各メモリデータを補聴器１０１側に記憶させる。補聴器１０１のメモリ設定は、メモリ切り替え手段２０９によってデフォルトとしてメモリＡの状態とする。そして、デフォルトとしてのメモリＡの状態から、図示しない入力手段によるメモリ切り替えボタンの押下により（図１３のステップＳ２０８）、メモリ切り替え手段２０９によって４ｄＢボリューム値が上がったメモリＢに変更（図１３のステップＳ２０９）され、図示しない入力手段によるメモリ切り替えボタンの押下により、メモリ切り替え手段２０９によって更に４ｄＢボリューム値が上がったメモリＣに変更（図１３のステップＳ２１０）され、再び図示しない入力手段によるメモリ切り替えボタンの押下により、メモリ切り替え手段２０９により更に２ｄＢボリューム値が上がったメモリＤ（図１３のステップＳ２１１）に変更される。また、メモリＤから再び図示しない入力手段によりメモリ切り替えボタンを押下すると、メモリ切り替え手段２０９によってメモリＡへ変更（図１３のＳ２１２）される。なお、メモリ切り替え（変更）は任意である。【００９８】
なお、メモリ切り替え手段２０９によってメモリ切り替えを行う際には、図示しない報知手段により、メモリ切り替えを行った旨を報知するようにしてもよい。【００９９】
以上によって、メモリ切り替え機能は環境設定を変更できるだけでなく、メモリ切り替えボタンの押下のみにより、ボリューム値のみを変更することも容易に実現でき、装用者のボリューム変更の煩わしさを軽減することが可能となる。【０１００】
このような本発明の第３の実施形態の補聴器調整装置１０４によれば、操作入力を受け付ける入力手段２０１と、所定の環境設定ごとに前記パラメータを記憶するための記憶手段２０３と、環境設定ごとにパラメータを制御する制御手段２０２と、パラメータの情報を表示する表示手段２０４と、補聴器１０１の記憶手段２０８に記憶させるための環境設定ごとのパラメータを含む信号を送信する通信手段２０５とを有するので、ボリュームのみ各環境設定で変化を付けることで、補聴器１０１のメモリ切り替え手段２０９がボリューム切り替えボタンの用途として使用できるので、装用者の利便性を高めるという効果を有することができる。【０１０１】
尚、本実施形態では主にボリュームボタンを選択し、ボリューム情報のみについて段階的に差を設けて設定することについて説明したが、ボリューム以外の特定のパラメータ（例えば、環境騒音抑制、モデラート、ハウリング抑圧、低域雑音カット等）の情報のみについて、段階的に差を設けて設定することを可能とすることもできる。【０１０２】
ここで、モデラートを特定のパラメータとして一括変更する場合について説明する。図１７は補聴器調整装置１０４のＧＵＩ（モデラートボタン押下後）を示している。図１７では、「拡張メモリ」ラベルとして、ボリュームではなくモデラートが用意されている。図１７のようにモデラートの情報について設定する場合の処理については、図１３の処理（ボリュームの情報について設定する場合の処理）とステップＳ２０４およびＳ２０６の処理が異なる。【０１０３】
つまり、ステップＳ２０４では、図１４のメモリ設定画面において、入力手段２０１が、拡張メモリ１４０５の「モデラート」ボタンを選択し、押下する。そして、ステップＳ２０６では、制御手段２０２によって、設定Ａ１４０１に設定してあるパラメータのモデラート以外の全てを設定Ｂ１４０２〜設定Ｄ１４０４に複製する。ここで、モデラートのみにおいては、制御手段２０２が、設定Ａ１７０１〜設定Ｄ１７０４のモデラート値をそれぞれ異なるように設定する。図１７では、設定Ａ１７０１のモデラート値が「ＯＦＦ」、設定Ｂ１７０２のモデラート値が「１」、設定Ｃ１７０３のモデラート値が「２」、設定Ｄ１７０４のモデラート値が「３」として設定されている。なお、この変更値は一例であり、これらに限定されるものではない。【０１０４】
このように、入力手段２０１がパラメータに含まれる所定の情報（モデラート等）を変更するためのラベルを選択し、制御手段２０２がラベルの選択に基づいて、全ての環境設定の所定の情報（モデラート等）を一括変更することで、補聴器１０１のメモリ切り替え手段２０９が所定の情報を切り替えるための切り替えボタンの用途として使用できるので、装用者の利便性を高めるという効果を有することができる。【０１０５】
尚、コンピュータを本実施形態の補聴器調整装置の全てもしくは一部として機能させるものでもよい。そして、プログラムであるので汎用コンピュータやサーバーを用いて本発明の実施形態の補聴器調整装置の一部あるいは全てを容易に実現することができる。また記憶媒体に記憶したり通信回線を用いてプログラムを配信したりすることでプログラムの配布やインストール作業が簡単にできる。
【産業上の利用可能性】
【０１０６】
以上のように、本発明は、複数の環境設定を選択したうちそのうちのひとつを操作することで、選択された全てのパラメータが連動することにより一括変換ができるので、元となる設定と似たような設定に調整したいと考えた場合、ひとつひとつのパラメータをひとつずつ変更していくこと無しに一度で複製を行えるため、調整時間の手間を省くという効果を有し、補聴器を調整するフィッティングソフトウェアの機能を有する補聴器調整装置等として有用である。【０１０７】
また、本発明は、環境設定ごとに利得やボリュームなどのパラメータを制御する制御手段を備え、複数の環境設定ごとに補聴器にメモリを記憶させることができるので、制御手段には基準となる推奨設定を元にして、他の複数の環境設定へボリューム以外のパラメータを記憶手段へ複製させることにより、ボリュームのみ各環境設定で変化を付けることで、補聴器のメモリ切り替え手段がボリューム切り替えボタンの用途として使用できるので、装用者の利便性を高めるという効果を有し、補聴器を調整するフィッティングソフトウェアの機能を有する補聴器調整装置等として有用である。
【図１】
2009093301.tif 000003
【図２】
2009093301.tif 000004
【図３】
2009093301.tif 000005
【図４】
2009093301.tif 000006
【図５】
2009093301.tif 000007
【図６】
2009093301.tif 000008
【図７】
2009093301.tif 000009
【図８】
2009093301.tif 000010
【図９】
2009093301.tif 000011
【図１０】
2009093301.tif 000012
【図１１】
2009093301.tif 000013
【図１２】
2009093301.tif 000014
【図１３】
2009093301.tif 000015
【図１４】
2009093301.tif 000016
【図１５】
2009093301.tif 000017
【図１６】
2009093301.tif 000018
【図１７】
2009093301.tif 000019
【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
補聴器のパラメータを調整する補聴器調整装置であって、
操作入力を受け付ける入力手段と、
所定の環境設定ごとに前記パラメータを記憶するための記憶手段と、
前記環境設定ごとに前記パラメータを制御する制御手段と、
前記パラメータの情報を表示する表示手段と
を有し、
前記入力手段は、複数の前記環境設定を選択し、選択されたうちのひとつの環境設定を操作し、
前記制御手段は、前記入力手段による操作に基づいて、選択された環境設定内のパラメータを一括変換する
補聴器調整装置。
【請求項２】
請求項１に記載の補聴器調整装置であって、
前記入力手段は、前記複数の環境設定および前記複数の環境設定内のパラメータを選択し、選択されたうちのひとつの環境設定の選択されたパラメータを操作し、
前記制御手段は、前記入力手段による操作に基づいて、選択された環境設定内の選択されたパラメータを一括変換する
補聴器調整装置。
【請求項３】
請求項１または２に記載の補聴器調整装置であって、
前記制御手段は、前記入力手段による操作に基づいて、前記操作元の環境設定または前記操作元の環境設定内のパラメータを前記操作元の環境設定とは異なる他の環境設定または前記他の環境設定内のパラメータへ複製する
補聴器調整装置。
【請求項４】
請求項３に記載の補聴器調整装置であって、
前記制御手段は、前記操作元の環境設定内のパラメータに所定のデータが設定されていない場合、前記他の環境設定内のパラメータへ複製することを禁止する
補聴器調整装置。
【請求項５】
請求項１に記載の補聴器調整装置であって、
前記制御手段は、前記入力手段による操作に基づいて、操作元の環境設定を前記操作元の環境設定とは異なる他の２つの環境設定間に移動する
補聴器調整装置。
【請求項６】
請求項３または５に記載の補聴器調整装置であって、
前記入力手段は、操作元の環境設定から操作先の環境設定へドラッグアンドドロップを行うことで操作する
補聴器調整装置。
【請求項７】
請求項１ないし５のいずれか１項に記載の補聴器調整装置であって、
前記表示手段は、更に、前記制御手段による制御を行うか否かのダイアログを表示する
補聴器調整装置。
【請求項８】
請求項１に記載の補聴器調整装置であって、更に、
前記補聴器のメモリに記憶させるための前記環境設定ごとのパラメータを含む信号を送信する通信手段を有する
補聴器調整装置。
【請求項９】
請求項８に記載の補聴器調整装置であって、
前記入力手段は、前記パラメータに含まれる所定の情報を変更するためのラベルを選択し、
前記制御手段は、前記ラベルの選択に基づいて、全ての環境設定の前記所定の情報を一括変更する
補聴器調整装置。
【請求項１０】
請求項８に記載の補聴器調整装置であって、
前記入力手段は、前記パラメータに含まれるボリュームの情報を変更するためのボリュームラベルを選択し、
前記制御手段は、前記ボリュームラベルの選択に基づいて、全ての環境設定のボリュームの情報を一括変更する
補聴器調整装置。
【請求項１１】
請求項８に記載の補聴器調整装置であって、
前記制御手段は、前記複数の環境設定に含まれる第１の環境設定のボリュームの情報以外のパラメータを、前記第１の環境設定以外の環境設定のボリュームの情報以外のパラメータへ複製する
補聴器調整装置。
【請求項１２】
請求項８または１０に記載の補聴器調整装置であって、
前記制御手段は、前記複数の環境設定に含まれる第１の環境設定のボリュームの情報に基づいて、各環境設定において異なるボリュームの情報を設定する
補聴器調整装置。
【請求項１３】
請求項１０ないし１２のいずれか１項に記載の補聴器調整装置であって、
前記表示手段は、更に、前記制御手段による制御を行うか否かのダイアログを表示する
補聴器調整装置。
【請求項１４】
請求項１０ないし１３のいずれか１項に記載の補聴器調整装置であって、
前記制御手段は、前記制御手段による制御を行う時を示すメモリ設定画面表示時には、前記表示手段にモーダル表示させる
補聴器調整装置。
【請求項１５】
補聴器のパラメータを調整する補聴器調整装置であって、
操作入力を受け付ける入力手段と、
所定の環境設定ごとに前記パラメータを記憶するための記憶手段と、
前記環境設定ごとに前記パラメータを制御する制御手段と、
前記パラメータの情報を表示する表示手段と、
前記補聴器のメモリに記憶させるための前記環境設定ごとのパラメータを含む信号を送信する通信手段と
を有する補聴器調整装置。
【請求項１６】
請求項１５に記載の補聴器調整装置であって、
前記入力手段は、前記パラメータに含まれる所定の情報を変更するためのラベルを選択し、
前記制御手段は、前記ラベルの選択に基づいて、全ての環境設定の前記所定の情報を一括変更する
補聴器調整装置。
【請求項１７】
請求項１５に記載の補聴器調整装置であって、
前記入力手段は、前記パラメータに含まれるボリュームの情報を変更するためのボリュームラベルを選択し、
前記制御手段は、前記ボリュームラベルの選択に基づいて、全ての環境設定のボリュームの情報を一括変更する
補聴器調整装置。
【請求項１８】
請求項１５に記載の補聴器調整装置であって、
前記制御手段は、前記複数の環境設定に含まれる第１の環境設定のボリュームの情報以外のパラメータを、前記第１の環境設定以外の環境設定のボリュームの情報以外のパラメータへ複製する
補聴器調整装置。
【請求項１９】
請求項１５または１７に記載の補聴器調整装置であって、
前記制御手段は、前記複数の環境設定に含まれる第１の環境設定のボリュームの情報に基づいて、各環境設定において異なるボリュームの情報を設定する
補聴器調整装置。
【請求項２０】
請求項１７ないし１９のいずれか１項に記載の補聴器調整装置であって、
前記表示手段は、更に、前記制御手段による制御を行うか否かのダイアログを表示する
補聴器調整装置。
【請求項２１】
請求項１７ないし２０のいずれか１項に記載の補聴器調整装置であって、
前記制御手段は、前記制御手段による制御を行う時を示すメモリ設定画面表示時には、前記表示手段にモーダル表示させる
補聴器調整装置。
【請求項２２】
当該補聴器を調整するための補聴器調整装置からの所定の環境設定ごとのパラメータを含む信号を受信する通信手段と、
前記パラメータを前記所定の環境設定ごとに記憶する記憶手段と、
複数の前記環境設定を切り替えるためのメモリ切り替え手段と
を有する補聴器。
【請求項２３】
請求項２２に記載の補聴器であって、更に、
前記メモリ切り替え手段によって環境設定を切り替えた場合、その旨を報知する報知手段を有する
補聴器。
【請求項２４】
請求項１ないし請求項２１のいずれか１項に記載の補聴器調整装置の各手段としてコンユータを機能させるためのプログラム。
【手続補正２】
【補正対象書類名】明細書
【補正対象項目名】全文
【補正方法】変更
【補正の内容】
【発明の詳細な説明】
【技術分野】
【０００１】
本発明は、補聴器調整装置、補聴器、およびプログラムに関し、特に、補聴器を調整するフィッティングソフトウェアの機能を有する補聴器調整装置、補聴器、およびプログラムに関するものである。
【背景技術】
【０００２】
従来の補聴器の環境設定による調整方法としては、使用環境によって、あらかじめ設定された複数種の騒音レベルに対応した複数種の利得制御パラメータを記憶する記憶手段と、その記憶手段を選択し記憶手段に記憶された利得制御パラメータに従って利得可変増幅器の利得を制御する制御手段を備えたものが考案されている（例えば特許文献１参照）。
【０００３】
【特許文献１】特開平１０−２００９９６号公報
【発明の開示】
【発明が解決しようとする課題】
【０００４】
フィッティング調整作業では、複数のパラメータを順次決めていくため、特定パラメータのみを変更して調整することができれば効率的である。しかしながら、従来の補聴器の環境設定における調整方法は、複数の周囲の環境ごとにそれぞれ利得や、ボリュームを変化させていくものであり、複数の環境設定において、一括で変更したり、複数の環境設定の順序を入れ替えたりすることなどは考慮されていない。つまり、個別操作で環境設定ごとに設定、順序の入れ替えを行うことはできたが、一括操作で環境設定ごとに設定、順序の入れ替えを行うことはできなかった。そのため、利得やパラメータを設定するための時間を個別設定の都度要するものであった。
【０００５】
また、従来の補聴器の環境設定における調整方法は、複数の周囲の環境ごとに利得や、ボリュームを変化させるものであり、複数の環境設定において、一括でボリューム調節を行うことは考慮されていない。つまり、個別操作で環境設定ごとにボリュームを設定することはできたが、一括操作で環境設定ごとにボリュームを設定することはできなかった。そのため、ボリューム等の特定のパラメータを設定するための時間を個別設定の都度要するものであった。また、ボリュームを個別設定するためにボリュームを調節するためのボリュームスイッチを設けることもあったが、耳穴などに装着する小型補聴器にボリュームスイッチを装備することは困難となることもあった。
【０００６】
本発明は、上記事情を解決するためになされたもので、補聴器を調整するフィッティングソフトウェアの環境設定の一括変換、及び、複製・移動に関するものであり、補聴器本体のメモリ切り替えボタンの押下のみで、環境設定を変更することを可能とする補聴器調整装置、補聴器、およびプログラムを提供することを目的とする。
【０００７】
また、補聴器を調整するフィッティングソフトウェアの環境設定のボリュームに関するものであり、補聴器本体のメモリ切り替えボタンの押下のみで、ボリュームを調節することを可能とする補聴器調整装置、補聴器、およびプログラムを提供することを目的とする。
【課題を解決するための手段】
【０００８】
上記目的を達成するために、本発明の第１の補聴器調整装置は、補聴器のパラメータを調整する補聴器調整装置であって、操作入力を受け付ける入力手段と、所定の環境設定ごとに前記パラメータを記憶するための記憶手段と、前記環境設定ごとに前記パラメータを制御する制御手段と、前記パラメータの情報を表示する表示手段とを有し、前記入力手段は、複数の前記環境設定を選択し、選択されたうちのひとつの環境設定を操作し、前記制御手段は、前記入力手段による操作に基づいて、選択された環境設定内のパラメータを一括変換する構成を有している。
【０００９】
この構成により、元となる設定と似たような設定に調整したいと考えた場合、ひとつひとつのパラメータをひとつずつ変更していくこと無しに一度で複製を行えるため、調整時間の手間を省くことができる。
【００１０】
また、本発明の第２の補聴器調整装置は、前記入力手段が、前記複数の環境設定および前記複数の環境設定内のパラメータを選択し、選択されたうちのひとつの環境設定の選択されたパラメータを操作し、前記制御手段が、前記入力手段による操作に基づいて、選択された環境設定内の選択されたパラメータを一括変換する構成を有している。
【００１１】
この構成により、元となる設定の一部のパラメータと同一の変更を加えたいときなどに有効であり、一部のパラメータに対して一度で複製を行えるため、調整時間の手間を省くことができる。
【００１２】
また、本発明の第３の補聴器調整装置は、前記制御手段が、前記入力手段による操作に基づいて、前記操作元の環境設定または前記操作元の環境設定内のパラメータを前記操作元の環境設定とは異なる他の環境設定または前記他の環境設定内のパラメータへ複製する構成を有している。
【００１３】
この構成により、複製を行いたい設定と全く同じ設定の複製を行えるため、調整時間の手間を省くことができる。
【００１４】
また、本発明の第４の補聴器調整装置は、前記制御手段が、前記操作元の環境設定内のパラメータに所定のデータが設定されていない場合、前記他の環境設定内のパラメータへ複製することを禁止する構成としている。
【００１５】
この構成により、補聴器の着け心地や補聴器の音質をさらに良くすることが可能となる。
【００１６】
また、本発明の第５の補聴器調整装置は、前記制御手段が、前記入力手段による操作に基づいて、操作元の環境設定を前記操作元の環境設定とは異なる他の２つの環境設定間に移動する構成を有している。
【００１７】
この構成により、ある特定の環境設定を優先的に順序を入れ替えたり、挿入したり、交換したりすることができ、補聴器のメモリ切り替えの使用の際、容易に頻度の高いメモリ設定を最初に持ってきたりすることが可能である。
【００１８】
また、本発明の第６の補聴器調整装置は、前記入力手段が、操作元の環境設定から操作先の環境設定へドラッグアンドドロップを行うことで操作する構成を有している。
【００１９】
この構成により、ドラッグアンドドロップにより、複製を行いたい設定と全く同じ設定の複製を行えるため、調整時間の手間を省くことができる。また、ドラッグアンドドロップにより、ある特定の環境設定を優先的に順序を入れ替えたり、挿入したり、交換したりすることができ、補聴器のメモリ切り替えの使用の際、容易に頻度の高いメモリ設定を最初に持ってきたりすることが可能である。
【００２０】
また、本発明の第７の補聴器調整装置は、前記表示手段が、更に、前記制御手段による制御を行うか否かのダイアログを表示する構成を有している。
【００２１】
この構成により、パラメータ設定前に設定していた内容が突然失われることなく、補聴器調整装置の操作者にその警告ダイアログを表示させることで、設定していたパラメータ値を削除してもよいかどうかを判断する機会を与え、更に例えば「複製」するのか「移動」するのかという２点をユーザーにウィザードで問うことにより、安心して環境設定の調整を行わせることが可能である。
【００２２】
また、本発明の第８の補聴器調整装置は、前記補聴器のメモリに記憶させるための前記環境設定ごとのパラメータを含む信号を送信する通信手段を有する構成を有している。
【００２３】
この構成により、補聴器の装用者がよく置かれる環境、例えば「騒がしい場所」や「電車の中」などを補聴器調整装置で設定し、補聴器本体の記憶手段にメモリ設定情報を送信することで、装用者は補聴器本体のメモリ切り替えボタンの押下によって、これらの環境設定に切り替えることができる。
【００２４】
また、本発明の第９の補聴器調整装置は、前記入力手段が、前記パラメータに含まれる所定の情報を変更するためのラベルを選択し、前記制御手段が、前記ラベルの選択に基づいて、全ての環境設定の前記所定の情報を一括変更する構成としている。
【００２５】
この構成により、所定のラベル（例えばボリュームボタンやモデラートボタン）の押下により、基準となる推奨設定を元に、各環境設定の所定の情報が一度に変更できるので、補聴器本体のメモリ切り替えボタンの選択、押下のみで、各種調整を行うことが可能となる。
【００２６】
また、本発明の第１０の補聴器調整装置は、前記入力手段が、前記パラメータに含まれるボリュームの情報を変更するためのボリュームラベルを選択し、前記制御手段が、前記ボリュームラベルの選択に基づいて、全ての環境設定のボリュームの情報を一括変更する構成を有している。
【００２７】
この構成により、「ボリューム」ボタンの押下により、基準となる推奨設定を元に、各環境設定のボリュームが一度に変更できるので、補聴器本体のメモリ切り替えボタンの選択、押下のみで、ボリューム調整を行うことが可能となる。
【００２８】
また、本発明の第１１の補聴器調整装置は、前記制御手段が、前記複数の環境設定に含まれる第１の環境設定のボリュームの情報以外のパラメータを、前記第１の環境設定以外の環境設定のボリュームの情報以外のパラメータへ複製する構成を有している。
【００２９】
この構成により、ボリューム以外のパラメータは全て推奨設定と同じになり、ボリュームのみの変化であるので、補聴器本体のメモリ切り替えボタンの選択、押下のみで、ボリューム調整を行うことが可能となる。
【００３０】
また、本発明の第１２の補聴器調整装置は、前記制御手段が、前記複数の環境設定に含まれる第１の環境設定のボリュームの情報に基づいて、各環境設定において異なるボリュームの情報を設定する構成を有している。
【００３１】
この構成により、ボリューム以外のパラメータは複製、ボリュームのみメモリ設定ごとに、例えばあらかじめ設定された差分で設定され（例：設定Ａ＝−４ｄＢ、設定Ｂ＝推奨設定のＶｏｌ、設定Ｃ＝＋４ｄＢ、設定Ｄ＝＋６ｄＢ）、適度なボリューム間隔により快適な聞こえを提供することが可能となる。
【００３２】
また、本発明の第１３の補聴器調整装置は、前記表示手段が、更に、前記制御手段による制御を行うか否かのダイアログを表示する構成を有している。
【００３３】
この構成により、「ボリューム」ボタン押下前に設定していた内容が突然失われることなく、補聴器調整装置の操作者にその警告ダイアログを表示させることで、設定していたパラメータ値を削除してもよいかどうかを判断する機会を与え、安心してボリューム一括変更の機能を使用することができる。
【００３４】
また、本発明の第１４の補聴器調整装置は、前記制御手段が、前記制御手段による制御を行う時を示すメモリ設定画面表示時には、前記表示手段にモーダル表示させる構成を有している。
【００３５】
この構成により、メモリ設定画面の裏側にあるパラメータ調整の画面の設定を操作できないようにさせることによって、操作中のメモリ設定画面のパラメータとの不一致を防ぐことができる。
【００３６】
また、本発明の第１の補聴器は、当該補聴器を調整するための補聴器調整装置からの所定の環境設定ごとのパラメータを含む信号を受信する通信手段と、前記パラメータを前記所定の環境設定ごとに記憶する記憶手段と、複数の前記環境設定を切り替えるためのメモリ切り替え手段とを有する構成を有している。
【００３７】
この構成により、通常は「騒がしい場所」「電車の中」「テレビ・音楽」「電話」などのシチュエーションによる環境設定ごとにメモリを切り替える用途で使用するメモリ切り替え機能を、例えば推奨設定を元にボリューム以外は各環境設定を複製することにより、ボリュームのみ各環境設定で変化を付けることになるので、例えばメモリ切り替えボタンがボリューム切り替えボタンの用途として使用でき、装用者の利便性が高まる。
【００３８】
また、本発明の第２の補聴器は、前記メモリ切り替え手段によって環境設定を切り替えた場合、その旨を報知する報知手段を有する構成を有している。
【００３９】
この構成により、補聴器の使用者はメモリ切り替えのタイミングを知ることが可能である。
【００４０】
また、本発明の第１のプログラムは、上記補聴器調整装置の各手段としてコンピュータを機能させるためのプログラムである。
【００４１】
このプログラムにより、例えば、元となる設定と似たような設定に調整したいと考えた場合、ひとつひとつのパラメータをひとつずつ変更していくこと無しに一度で複製を行えるため、調整時間の手間を省くことができる。そして、プログラムであるので汎用コンピューターやサーバーを用いて本発明の補聴器調整装置の一部あるいは全てを容易に実現することができる。また記憶媒体に記憶したり通信回線を用いてプログラムを配信したりすることでプログラムの配布やインストール作業が簡単にできる。
【発明の効果】
【００４２】
本発明は、複数の環境設定を選択したうちそのうちのひとつを操作することで、選択された全てのパラメータが連動することにより一括変換ができるので、元となる設定と似たような設定に調整したいと考えた場合、ひとつひとつのパラメータをひとつずつ変更していくこと無しに一度で複製を行えるため、調整時間の手間を省くという効果を有する補聴器調整装置、補聴器、およびプログラムを提供することができるものである。
【００４３】
また、本発明は、環境設定ごとに利得やボリュームなどのパラメータを制御する制御手段を備え、複数の環境設定ごとに補聴器にメモリを記憶させることができるので、前記制御手段には基準となる推奨設定を元にして、他の複数の設定へボリューム以外のパラメータを記憶手段へ複製させることにより、ボリュームのみ各環境設定で変化を付けることで、メモリ切り替えボタンがボリューム切り替えボタンの用途として使用できるので、装用者の利便性を高めるという効果を有する補聴器調整装置、補聴器、およびプログラムを提供することができるものである。
【発明を実施するための最良の形態】
【００４４】
以下、本発明の実施形態の補聴器調整装置、補聴器、およびプログラムについて、図面を参照しながら詳細に説明する。尚、下記実施形態によって本発明が限定されるものではない。また、下記実施形態では、環境設定のパラメータについて主に説明するが、難聴者の聴力特性をパラメータとして考慮することもある。
【００４５】
（第１の実施形態）
以下、本発明の第１の実施形態の補聴器調整装置について図面を用いて説明する。
本発明の第１の実施形態の補聴器調整における構成図を図１に示す。
図１において、１０１は補聴器、１０２は調整ユニット、１０３は通信ユニット、１０４は補聴器調整装置であり、これらが補聴器調整システムの構成図である。
【００４６】
補聴器１０１はパソコンなどで調整することが可能なデジタル補聴器である。符号１０２は調整ユニットであり、補聴器１０１の片耳、もしくは両耳と接続でき、通信機能を備え、通信ユニット１０３とＵＳＢ接続やＢｌｕｅｔｏｏｔｈ通信などによりデータの送受信を行うことが可能である。通信ユニット１０３と接続されている補聴器調整装置１０４は、パソコンや、ＰＤＡなどの携帯端末の主に入力手段、記憶手段、表示手段を備えたものであり、補聴器を調整するアプリケーションソフトウェアを備え、通信手段などによって、補聴器１０１の調整を行うことができる。
【００４７】
なお、補聴器１０１の使用者が耳に装着した状態で補聴器１０１のボリュームや利得や環境設定などを調整するのが好ましい。調整ユニット１０２を介して補聴器調整装置１０４および補聴器１０１が無線通信により補聴器調整を行うことにより、例えば補聴器１０１の使用者と調整者が互いに向かいあって補聴器調整を行うことが可能であり、補聴器１０１の使用者および調整者の双方の利便性が向上する。
【００４８】
図２は本発明の実施形態における補聴器調整装置の構成の一例を示すブロック図である。以下、それぞれの機能の概要について説明する。
【００４９】
補聴器１０１を調整する補聴器調整装置１０４は、入力手段２０１、制御手段２０２、記憶手段２０３、表示手段２０４、通信手段２０５を有して構成される。
【００５０】
入力手段２０１は例えばパソコンにおけるキーボードやマウスであり、文字の入力や、マウスのクリックなどのコマンドを入力できる。補聴器調整装置１０４は、前述したように補聴器を調整するアプリケーションソフトウェアがインストールされており、アプリケーションのメニューには補聴器を試聴するコンテンツを始め、聴力入力機能、補聴器の調整機能、顧客管理などのコンテンツがあり、入力手段２０１を操作して、各画面へ遷移できる構造となっている。
【００５１】
このアプリケーションにおいて、入力手段２０１によって、調整したい環境設定機能を備えた補聴器を選択し、制御手段２０２によってメモリ設定の機能を有するボタンの押下を検出することで、制御手段２０２は、各環境設定を設定する画面を起動させる。入力手段２０１によって入力された各環境設定の設定は記憶手段２０３によって記憶され、表示手段２０４によってＧＵＩによって確認できる。記憶手段２０３によって記憶された設定は通信手段２０５によって、調整ユニット１０２を介し、補聴器１０１の通信手段２０６とデータ通信を行う。
【００５２】
また、補聴器１０１は、通信手段２０６、制御手段２０７、記憶手段２０８、メモリ切り替え手段２０９、音声入出力手段２１０を有して構成される。
【００５３】
補聴器調整装置１０４からのデータを通信手段２０６を介して入手した制御手段２０７は、記憶手段２０８にこのデータを記憶させる。記憶された各環境設定は、メモリ切り替え手段２０９によって、切り替えることが可能であり、その結果、各環境設定で設定された聞こえを、音声入出力手段２１０によって確認することができる。
【００５４】
図３は補聴器調整装置１０４および補聴器１０１の制御におけるフローチャートであり、図２の構成によって実施される動作の一例をフローチャート形式で示したものである。なお、ステップＳ１０１〜Ｓ１０６までの処理は補聴器調整装置１０４によって実施され、ステップＳ１０７〜Ｓ１１２までの処理は補聴器１０１によって実施される。
【００５５】
まず、制御手段２０２が、補聴器調整ソフトのアプリケーションを起動（図３のステップＳ１０１）させ、メモリ切り替え機能に対応した機種を選択（図３のステップＳ１０２）する。選択後、制御手段２０２が、メモリ設定を行うためのダイアログを表示させるためにメモリ設定を行うためのボタンの押下を検出し、メモリ設定画面を起動（図３のステップＳ１０３）させる。
【００５６】
メモリ設定画面起動後、表示手段２０４が、図５のようなデフォルト画面を表示する。このとき、制御手段２０２がメモリ設定画面表示時ではモーダル表示させており、メモリ設定画面の裏側にあるパラメータ調整画面を操作できないようになっているため、操作中のメモリ設定画面のパラメータとの不一致を防ぐことができる。このメモリ設定画面において、設定Ａ５０１を基準となる「推奨設定」とする。この設定Ａ５０１のパラメータは、このメモリ設定画面を開く前の補聴器調整ソフトの前出のパラメータ調整画面のパラメータ設定をベースとしており、そのパラメータ値をこの設定Ａ５０１の箇所に複製したものである。
【００５７】
以下、一例として、デフォルトでは、設定Ｂ５０２は、あらかじめ環境設定に「騒がしい場所」で聞くために有効なメモリが設定されており、必要に応じて、ボリュームや利得、環境騒音抑制、モデラート、ハウリング抑圧、低域雑音カットなどのパラメータを変更することが可能である。また、設定Ｃ５０３と設定Ｄ５０４は、環境設定が設定されておらず、「未使用」などの表記で、入力手段２０１によって入力操作することが不可となっている非活性状態である。これらは一例であるので、メモリ設定の可能な個数は今回のように４つであったり、３つや、５つであったりメモリ数は問わない。
【００５８】
次に「拡張メモリ」の機能について説明する。
図５のように、メモリ設定画面には「拡張メモリ」ラベルがあり、「拡張メモリ」ラベルには「個別設定」「ボリューム」「未使用」の３つボタンが用意されており、ここではこれらをまとめて拡張メモリ選択５０５と呼ぶことにする。デフォルトは図５のように「個別設定」ボタンが押下されている状態であり、必要に応じて、入力手段２０１が、一括でボリュームを変更する「ボリューム」ボタンや、設定Ａ以外の全ての環境設定を使用しない「未使用」ボタンを押下することで、制御手段２０２が、押下検出可能である。また、入力手段２０１が、設定Ｃ５０３や、設定Ｄ５０４の「未使用」の状態からプルダウン選択して、制御手段２０２が、他の環境設定に切り替えることができる。環境設定には「推奨設定」「騒がしい場所」の他、「電車の中」「パーティ（宴会）」「テレビ・音楽」「電話」「静かな場所」など様々な環境設定が用意されている。これらに近い場所で聴く場合にこれらの環境を上記プルダウンの中から入力手段２０１が選択することで、その環境に合った適切な聴こえを可能とする。
【００５９】
次に環境設定の複製方法を説明する。
図６のように、入力手段２０１が、複製元となる環境設定の設定○（ここでは「設定Ａ」）のラベルを押下し、更に複製したい複製先の設定△（ここでは「設定Ｃ」）のラベルを押下する（図３のステップＳ１０４）。制御手段２０２は、これらの押下を検出した後、複製元設定Ａの環境設定の変更を行い（図３のステップＳ１０５）と、設定Ｃとして設定Ａの全パラメータを複製（図３のＳ０６）する。これにより、図７のように設定Ｃは設定Ａと同じ設定になる。ここで、複製元の設定Ａを複製先の設定Ｃへ複製をする方法を記述したが、複製先は設定Ｃ１つのみではなく、２つでも３つでもよい。
【００６０】
その後、通信手段２０５が、調整ユニット１０２を介して、補聴器１０１へ書き込み（図３のステップＳ１０７）して各メモリデータを補聴器１０１側に記憶させる。補聴器１０１のメモリ設定は、メモリ切り替え手段２０９によってデフォルトとしてメモリＡの状態とする。そして、デフォルトとしてのメモリＡの状態から、図示しない入力手段によるメモリ切り替えボタンの押下により（図３のステップＳ１０８）、メモリ切り替え手段２０９によりメモリＢに変更（図３のＳ１０９）され、再び図示しない入力手段によるメモリ切り替えボタンの押下により、メモリ切り替え手段２０９によりメモリＣに変更（図３のＳ１１０）され、再び図示しない入力手段によるメモリ切り替えボタンの押下により、メモリ切り替え手段２０９によりメモリＤ（図３のステップＳ１１１）に変更される。また、メモリＤから再び図示しない入力手段によりメモリ切り替えボタンを押下すると、メモリ切り替え手段２０９によりメモリＡへ変更（図３のＳ１１２）される。なお、メモリ切り替え（変更）は任意である。
【００６１】
なお、メモリＡ〜メモリＤは、例えば補聴器２０１の記憶手段２０８内のメモリ領域を示すものであり、メモリＡ〜メモリＤには、例えば設定Ａ〜設定Ｄのパラメータの情報が格納される。
【００６２】
なお、メモリ切り替え手段２０９によってメモリ切り替えを行う際には、図示しない報知手段により、メモリ切り替えを行った旨を報知するようにしてもよい。
【００６３】
以上によって、ある環境設定のパラメータの変換が一度に行うことができるようになり、パラメータの一括複製が容易に可能となる。
【００６４】
前述の例では、環境設定そのもののパラメータを全て複製する手法について述べたが、もう一つの複製方法として、特定のパラメータのみを複製するものがあるので以下に述べる。
【００６５】
基本的には前述した環境設定ごとの一括パラメータ変更と同じであるが、ここでは、図８のように、複製元となる環境設定の設定○（ここでは「設定Ａ」）の特定のパラメータの１ラベルないし、複製したい複数のラベル（ここでは環境騒音抑制、低域雑音カット）を入力手段２０１によって押下して選択する。更に複製したい複製先の設定△（ここでは「設定Ｂ」）の複製元と同じパラメータラベルを入力手段２０１によって選択し、そのラベルを押下する（図３のステップＳ１０４）。制御手段２０２によってこれらの選択や押下を検出した後、制御手段２０２によって複製元設定Ａの一部のパラメータの環境設定の変更を行うと（図３のステップＳ１０５）、制御手段２０２によって設定Ｂは設定Ａの一部のパラメータを複製（図３のステップＳ１０６）し、図９のように設定Ａと同じ設定になる。ここで、複製元の設定Ａを複製先の設定Ｂへ複製をする方法を記述したが、複製先は設定Ｂ１つのみではなく、２つでも３つでもよい。その後は、前述と同様、補聴器１０１へ書き込み（図３のステップＳ１０７）して各メモリデータを補聴器１０１側に記憶させる。補聴器１０１のメモリ設定は、デフォルトとしてメモリＡの状態とする。そして、デフォルトとしてのメモリＡの状態から、メモリ切り替えボタンの押下により（図３のステップＳ１０８）、メモリＢに変更（図３のステップＳ１０９）され、再びメモリ切り替えボタンの押下により、メモリＣに変更（図３のステップＳ１１０）され、再びメモリ切り替えボタンの押下により、メモリＤ（図３のステップＳ１１１）に変更される。また、メモリＤから再びメモリ切り替えボタンを押下すると、メモリＡへ変更（図３のステップＳ１１２）される。なお、メモリ切り替え（変更）は任意である。
【００６６】
なお、ここでは主体の説明を省略したが、前述と同様に、メモリ切り替え手段２０９によってメモリ切り替え（変更）を行う際には、図示しない報知手段により、メモリ切り替えを行った旨を報知するようにしてもよい。
【００６７】
以上によって、ある環境設定の一部のパラメータの変換が一度に行うことができるようになり、一部のパラメータの一括複製が容易に可能となる。
【００６８】
なお、基本的には、設定Ａから設定ＢやＣやＤ、設定Ｂから設定ＡやＣやＤに対して設定パラメータの全てまたは一部を複製することが可能であるが、複製元が「未設定」（つまり複製元の環境設定のパラメータとして所定のデータが設定されていない）状態であり、複製先が設定Ａである場合には、制御手段２０２は、この複製を禁止することができる。例えば、図５の状態から、設定Ｃを設定Ａに複製することを禁止することができるこれにより、補聴器の着け心地や補聴器の音質をさらに良くすることが可能となる。
【００６９】
このような本発明の第１の実施形態の補聴器調整装置１０４によれば、操作入力を受け付ける入力手段２０１と、所定の環境設定ごとにパラメータを記憶するための記憶手段２０３と、環境設定ごとにパラメータを制御する制御手段２０２と、パラメータの情報を表示する表示手段２０４とを有し、入力手段２０１は、複数の前記環境設定を選択し、選択されたうちのひとつの環境設定を操作し、制御手段２０２は、入力手段２０１による操作に基づいて、選択された環境設定内のパラメータを一括変換することができるので、制御手段２０２には基準となる推奨設定を元にして、他の複数の環境設定へ環境設定そのものを複製、または、環境設定の一部のパラメータの複製を行うことができる。
【００７０】
（第２の実施形態）
本発明の第２の実施形態の補聴器調整における構成図、及び、ブロック図は本発明の第１の実施形態と同様である。
変更点としては、複製方法、及び、移動方法である。
【００７１】
図４は補聴器調整装置１０４および補聴器１０１の制御におけるフローチャートの他の例であり、図２の構成によって実施される動作の一例をフローチャート形式で示したものである。なお、ステップＳ１１３〜Ｓ１１９までの処理は補聴器調整装置１０４によって実施され、ステップＳ１２０〜Ｓ１２５までの処理は補聴器１０１によって実施される。
【００７２】
まず、制御手段２０２が、補聴器調整ソフトのアプリケーションを起動（図４のステップＳ１１３）させ、メモリ切り替え機能に対応した機種を選択（図４のステップＳ１１４）する。選択後、制御手段２０２が、メモリ設定を行うためのダイアログを表示させるためにメモリ設定を行うためのボタンの押下を検出し、メモリ設定画面を起動（図４のステップＳ１１５）させる。
【００７３】
そして、デフォルトの図５の状態から、入力手段２０１が、複製元・移動元となる環境設定の設定○（ここでは「設定Ａ」）のラベルをドラッグ（図４のステップＳ１１６）し、更に複製・移動したい複製先・移動先の設定△（ここでは「設定Ｃ」）のラベルへドロップを行う（図４のステップＳ１１７）。
【００７４】
すると図１０のように、表示手段２０４によって警告ダイアログ１００６が表示され、複製を行うか、移動を行うかの選択を操作者の指示により行わせる（図４のステップＳ１１８）。ここでは、設定Ａがドラッグされていることを示すドラッグ選択状態設定Ａ１００７も表示手段２０４によって表示されている。図１０では設定Ａの内容が図示されていないが、各設定情報が表示されながら移動されることが可能である。なお、警告ダイアログは、設定作業において必要に応じて表示させることが可能である。
【００７５】
ここで、入力手段２０１がキャンセルを押下した場合には、制御手段２０２が、ドラッグ前の状態に遷移（図５のデフォルト状態）させる。
【００７６】
「複製」を押下した場合には、制御手段２０２によって設定Ａの全ての環境設定パラメータ情報が設定Ｃにコピーされ、設定Ａと設定Ｃは同じ状態になる（図４のステップＳ１１９）。図１１は、この場合の表示手段２０４による表示結果の一例である。
【００７７】
一方、「移動」を押下した場合には、制御手段２０２によって、設定Ａの全ての環境設定パラメータ情報が設定Ｃに移動コピーされ、移動前の設定Ａは設定Ｂの環境設定へ移動される（図４のステップＳ１１９）。図１２は、この場合の表示手段２０４による表示結果の一例である。このように移動した場合には、例えば、図５における設定Ｃおよび設定Ｄの間に設定Ａの「推奨設定」が挿入され、図５における設定Ｂおよび設定Ｃは１つずつ左へシフトし、設定の順序が並び替えられる。
【００７８】
ここでは「複製」「移動」の挙動について述べたが、他の機能としては「交換」という機能を設けて、制御手段２０２によって、ドロップ操作を実施中の環境設定のパラメータ値とドラッグ操作開始環境設定のパラメータ値が入れ替えることができるという機能も考えられる。例えば、図５の状態から、設定Ａと設定Ｃとを交換することが可能である。
【００７９】
その後は、第１の実施形態と同様、つまり、図３のステップＳ１０７〜ステップＳ１１２と同様の処理を行う。補聴器１０１へ書き込み（図４のステップＳ１２０）して各メモリデータを補聴器１０１側に記憶させる。補聴器１０１のメモリ設定は、デフォルトとしてメモリＡの状態とする。そして、デフォルトとしてのメモリＡの状態から、メモリ切り替えボタンの押下により（図４のステップＳ１２１）、メモリＢに変更（図４のステップＳ１２２）され、再びメモリ切り替えボタンの押下により、メモリＣに変更（図４のステップＳ１２３）され、再びメモリ切り替えボタンの押下により、メモリＤ（図４のステップＳ１２４）に変更される。また、メモリＤから再びメモリ切り替えボタンを押下すると、メモリＡへ変更（図４のステップＳ１２５）される。
【００８０】
なお、ここでは主体の説明を省略したが、第１の実施形態と同様に、メモリ切り替え手段２０９によってメモリ切り替えを行う際には、図示しない報知手段により、メモリ切り替えを行った旨を報知するようにしてもよい。
【００８１】
なお、基本的には、いずれの設定についても移動や並び替えや交換を行うことが可能であるが、移動や並び替えや交換の結果、移動先または並び替え先または交換先の設定Ａが「未設定」となる場合には、制御手段２０２は、これらの動作を禁止する。
【００８２】
以上によって、ある環境設定のパラメータの変換がドラッグアンドドロップの操作のみによって、複製、または、移動を行うことができ、パラメータの複製・移動が容易に可能となる。
【００８３】
このような本発明の第２の実施形態の補聴器調整装置１０４によれば、入力手段２０１が、操作元の環境設定から操作先の環境設定へドラッグアンドドロップを行うことで操作するので、複製したい場所に容易に複製を行うことができる、または、移動したい場所に容易に移動を行うことができるため、基準となる設定（複製元・移動元）と似たような設定に調整したいと考えた場合、ひとつひとつのパラメータをひとつずつ変更していくこと無しに一度で複製、及び、移動を行えるため、調整時間の手間を省くことができる。また、警告ダイアログを表示することによって設定途中のパラメータデータの消去を防ぐことができる。
【００８４】
（第３の実施形態）
本発明の第３の実施形態の補聴器調整における構成図、及び、ブロック図は本発明の第１の実施形態と同様である。
【００８５】
図１３は補聴器調整装置１０４および補聴器１０１の制御におけるフローチャートの更に他の例であり、図２の構成によって実施される動作の一例をフローチャート形式で示したものである。なお、ステップＳ２０１〜Ｓ２０６までの処理は補聴器調整装置１０４によって実施され、ステップＳ２０７〜Ｓ２１２までの処理は補聴器１０１によって実施される。
【００８６】
まず、制御手段２０２が、補聴器調整ソフトのアプリケーションを起動（図１３のステップＳ２０１）させ、メモリ切り替え機能に対応した機種を選択（図１３のステップＳ２０２）する。選択後、制御手段２０２が、メモリ設定を行うためのダイアログを表示させるためにメモリ設定を行うためのボタンの押下を検出し、メモリ設定画面を起動（図１３のＳ２０３）させる。
【００８７】
メモリ設定画面起動後、表示手段２０４が、図１４のようなデフォルト画面を表示する。このとき、制御手段２０２がメモリ設定画面表示時ではモーダル表示させており、メモリ設定画面の裏側にあるパラメータ調整の画面の調整を操作できないようになっているため、操作中のメモリ設定画面のパラメータとの不一致を防ぐことができる。このメモリ設定画面において、設定Ａ１４０１を基準となる「推奨設定」とする。この設定Ａ１４０１のパラメータはこのメモリ設定画面を開く前の補聴器調整ソフトの前出のパラメータ調整画面のパラメータ設定をベースとしており、そのパラメータ値をこの設定Ａ１４０１の箇所に複製したものである。
【００８８】
以下、一例として、デフォルトでは、設定Ｂ１４０２は、あらかじめ環境設定に「騒がしい場所」で聞くために有効なメモリが設定されており、必要に応じて、ボリュームや利得、環境騒音抑制、モデラート、ハウリング抑圧、低域雑音カットなどのパラメータを変更することが可能である。
【００８９】
また、設定Ｃ１４０３と設定Ｄ１４０４には環境設定は設定されておらず、「未使用」などの表記で、入力手段２０１によって入力操作することが不可となっている非活性状態である。これらは一例であるので、メモリ設定の可能な個数は今回のように４つであったり、３つや、５つであったりメモリ数は問わない。
【００９０】
次に「拡張メモリ」の機能について説明する。
図１４のように「拡張メモリ」ラベルには「個別設定」「ボリューム」「未使用」の３つボタンが用意されており、ここではこれらをまとめて拡張メモリ選択１４０５と呼ぶことにする。デフォルトは図１４のように「個別設定」ボタンが押下されている状態であり、必要に応じて、入力手段２０１が「ボリューム」ボタンや、「未使用」ボタンを押下することで、制御手段２０２が、押下検出可能である。また、入力手段２０１が、設定Ｃ１４０３や、設定Ｄ１４０４の「未使用」の状態からプルダウン選択して、制御手段２０２が、他の環境設定に切り替えることができる。環境設定には「推奨設定」「騒がしい場所」の他、「電車の中」「パーティ（宴会）」「テレビ・音楽」「電話」「静かな場所」など様々な環境設定が用意されている。これらに近い場所で聴く場合にこれらの環境を上記プルダウンの中から入力手段２０１が選択することで、その環境に合った適切な聴こえを可能とする。なお、「拡張メモリ」ラベルとしては、上記３つの他の情報（例えばモデラート）をラベルとして用意してもよい。
【００９１】
拡張メモリ１４０５の「未使用」ボタンの押下を制御手段２０２が検出することにより、設定Ｂ１４０２〜設定Ｄ１４０４は非活性状態となり、プルダウンによって環境設定を選択しない限りは他のパラメータは操作できない状態となる。これによって、補聴器１０１側ではメモリ機能は設定Ａのみ使用が可能となる。また「未使用」ボタン押下状態から、設定Ｂ１４０２〜設定Ｄ１４０４の環境設定のいずれか操作すると、「未使用」ボタン押下状態は解除され、制御手段２０２によって「個別設定」ボタンの押下が検出され、設定Ｂ１４０２〜設定Ｄ１４０４のいずれかの環境設定を行えることが可能となる。
【００９２】
次に拡張メモリ１４０５の「ボリューム」ボタンの挙動について説明する。
図１４のメモリ設定画面において、入力手段２０１が、拡張メモリ１４０５の「ボリューム」ボタンを選択し、押下（図１３のステップＳ２０４）する。
【００９３】
そこで、その押下前に設定Ｂ１４０２〜設定Ｄ１４０４において、パラメータ変更作業をしている可能性があるため、そのパラメータ設定を誤って消してしまわないように、制御手段２０２が、表示手段２０４に図１５の警告ダイアログ１５０６を表示（図１３のＳ２０５）させる。入力手段２０１が「いいえ」を選択した場合は、制御手段２０２によって、「ボリューム」ボタン押下前の図１４の状態に戻る。また、入力手段２０１が、「はい」を選択した場合には、制御手段２０２によって、設定Ａ１５０１に設定してあるパラメータのボリューム以外の全てを設定Ｂ１５０２〜設定Ｄ１５０４に複製（図１３のＳ２０６）する。「はい」を選択した場合の状態が図１６である。なお、警告ダイアログは、設定作業において必要に応じて表示させることが可能である。
【００９４】
ここで、ボリュームのみにおいては、制御手段２０２が、設定Ａ１５０１のボリューム値を設定Ｂ１６０２へ複製（図１６の設定Ｂ１６０２参照）し、これを基準として、設定Ａ１５０１は設定Ｂ１６０２より４ｄＢ下げた値（図６の設定Ａ１６０１参照）、設定Ｃ１５０３は設定Ｂ１６０２より４ｄＢ上げた値（図１６の設定Ｃ１６０３参照）、設定Ｄ１５０４は設定Ｂ１６０２より６ｄＢ上げた値（図１６の設定Ｄ１６０４参照）へ変更させる。この変更値の差分量は一例であり、これらに限定されるものではない。
【００９５】
入力手段１０２によるメモリ設定の「ボリューム」ボタン押下により、ボリューム以外のパラメータは全て同一、かつ、ボリューム値のみ差分を持たせることによって、通信機能２０５が、調整ユニット１０２を介して、補聴器１０１へ書き込み（図１３のステップＳ２０７）して各メモリデータを補聴器１０１側に記憶させる。補聴器１０１のメモリ設定は、メモリ切り替え手段２０９によってデフォルトとしてメモリＡの状態とする。そして、デフォルトとしてのメモリＡの状態から、図示しない入力手段によるメモリ切り替えボタンの押下により（図１３のステップＳ２０８）、メモリ切り替え手段２０９によって４ｄＢボリューム値が上がったメモリＢに変更（図１３のステップＳ２０９）され、図示しない入力手段によるメモリ切り替えボタンの押下により、メモリ切り替え手段２０９によって更に４ｄＢボリューム値が上がったメモリＣに変更（図１３のステップＳ２１０）され、再び図示しない入力手段によるメモリ切り替えボタンの押下により、メモリ切り替え手段２０９により更に２ｄＢボリューム値が上がったメモリＤ（図１３のステップＳ２１１）に変更される。また、メモリＤから再び図示しない入力手段によりメモリ切り替えボタンを押下すると、メモリ切り替え手段２０９によってメモリＡへ変更（図１３のＳ２１２）される。なお、メモリ切り替え（変更）は任意である。
【００９６】
なお、メモリ切り替え手段２０９によってメモリ切り替えを行う際には、図示しない報知手段により、メモリ切り替えを行った旨を報知するようにしてもよい。
【００９７】
以上によって、メモリ切り替え機能は環境設定を変更できるだけでなく、メモリ切り替えボタンの押下のみにより、ボリューム値のみを変更することも容易に実現でき、装用者のボリューム変更の煩わしさを軽減することが可能となる。
【００９８】
このような本発明の第３の実施形態の補聴器調整装置１０４によれば、操作入力を受け付ける入力手段２０１と、所定の環境設定ごとに前記パラメータを記憶するための記憶手段２０３と、環境設定ごとにパラメータを制御する制御手段２０２と、パラメータの情報を表示する表示手段２０４と、補聴器１０１の記憶手段２０８に記憶させるための環境設定ごとのパラメータを含む信号を送信する通信手段２０５とを有するので、ボリュームのみ各環境設定で変化を付けることで、補聴器１０１のメモリ切り替え手段２０９がボリューム切り替えボタンの用途として使用できるので、装用者の利便性を高めるという効果を有することができる。
【００９９】
尚、本実施形態では主にボリュームボタンを選択し、ボリューム情報のみについて段階的に差を設けて設定することについて説明したが、ボリューム以外の特定のパラメータ（例えば、環境騒音抑制、モデラート、ハウリング抑圧、低域雑音カット等）の情報のみについて、段階的に差を設けて設定することを可能とすることもできる。
【０１００】
ここで、モデラートを特定のパラメータとして一括変更する場合について説明する。図１７は補聴器調整装置１０４のＧＵＩ（モデラートボタン押下後）を示している。図１７では、「拡張メモリ」ラベルとして、ボリュームではなくモデラートが用意されている。図１７のようにモデラートの情報について設定する場合の処理については、図１３の処理（ボリュームの情報について設定する場合の処理）とステップＳ２０４およびＳ２０６の処理が異なる。
【０１０１】
つまり、ステップＳ２０４では、図１４のメモリ設定画面において、入力手段２０１が、拡張メモリ１４０５の「モデラート」ボタンを選択し、押下する。そして、ステップＳ２０６では、制御手段２０２によって、設定Ａ１４０１に設定してあるパラメータのモデラート以外の全てを設定Ｂ１４０２〜設定Ｄ１４０４に複製する。ここで、モデラートのみにおいては、制御手段２０２が、設定Ａ１７０１〜設定Ｄ１７０４のモデラート値をそれぞれ異なるように設定する。図１７では、設定Ａ１７０１のモデラート値が「ＯＦＦ」、設定Ｂ１７０２のモデラート値が「１」、設定Ｃ１７０３のモデラート値が「２」、設定Ｄ１７０４のモデラート値が「３」として設定されている。なお、この変更値は一例であり、これらに限定されるものではない。
【０１０２】
このように、入力手段２０１がパラメータに含まれる所定の情報（モデラート等）を変更するためのラベルを選択し、制御手段２０２がラベルの選択に基づいて、全ての環境設定の所定の情報（モデラート等）を一括変更することで、補聴器１０１のメモリ切り替え手段２０９が所定の情報を切り替えるための切り替えボタンの用途として使用できるので、装用者の利便性を高めるという効果を有することができる。
【０１０３】
尚、コンピュータを本実施形態の補聴器調整装置の全てもしくは一部として機能させるものでもよい。そして、プログラムであるので汎用コンピュータやサーバーを用いて本発明の実施形態の補聴器調整装置の一部あるいは全てを容易に実現することができる。また記憶媒体に記憶したり通信回線を用いてプログラムを配信したりすることでプログラムの配布やインストール作業が簡単にできる。
【産業上の利用可能性】
【０１０４】
以上のように、本発明は、複数の環境設定を選択したうちそのうちのひとつを操作することで、選択された全てのパラメータが連動することにより一括変換ができるので、元となる設定と似たような設定に調整したいと考えた場合、ひとつひとつのパラメータをひとつずつ変更していくこと無しに一度で複製を行えるため、調整時間の手間を省くという効果を有し、補聴器を調整するフィッティングソフトウェアの機能を有する補聴器調整装置等として有用である。
【０１０５】
また、本発明は、環境設定ごとに利得やボリュームなどのパラメータを制御する制御手段を備え、複数の環境設定ごとに補聴器にメモリを記憶させることができるので、制御手段には基準となる推奨設定を元にして、他の複数の環境設定へボリューム以外のパラメータを記憶手段へ複製させることにより、ボリュームのみ各環境設定で変化を付けることで、補聴器のメモリ切り替え手段がボリューム切り替えボタンの用途として使用できるので、装用者の利便性を高めるという効果を有し、補聴器を調整するフィッティングソフトウェアの機能を有する補聴器調整装置等として有用である。
【図面の簡単な説明】
【０１０６】
【図１】本発明の実施形態における補聴器調整システムの構成図
【図２】本発明の実施形態における補聴器調整装置のブロック図
【図３】本発明の第１の実施形態における補聴器調整装置の動作フローチャート
【図４】本発明の第２の実施形態における補聴器調整装置の動作フローチャート
【図５】本発明の第１および第２の実施形態における補聴器調整装置のＧＵＩ（デフォルト時）
【図６】本発明の第１の実施形態における補聴器調整装置のＧＵＩ（環境設定選択時）
【図７】本発明の第１の実施形態における補聴器調整装置のＧＵＩ（環境設定複製後）
【図８】本発明の第１の実施形態における補聴器調整装置のＧＵＩ（環境設定の一部パラメータ選択時）
【図９】本発明の第１の実施形態における補聴器調整装置のＧＵＩ（環境設定の一部パラメータ複製後）
【図１０】本発明の第２の実施形態における補聴器調整装置のＧＵＩ（ドラッグ時の例）
【図１１】本発明の第２の実施形態における補聴器調整装置のＧＵＩ（ドラッグアンドドロップ後の複製例）
【図１２】本発明の第２の実施形態における補聴器調整装置のＧＵＩ（ドラッグアンドドロップ後の移動例）
【図１３】本発明の第３の実施形態における補聴器調整装置の動作フローチャート
【図１４】本発明の第３の実施形態における補聴器調整装置のＧＵＩ（デフォルト時）
【図１５】本発明の第３の実施形態における補聴器調整装置のＧＵＩ（ボリュームボタン押下時のダイアログ表示）
【図１６】本発明の第３の実施形態における補聴器調整装置のＧＵＩ（ボリュームボタン押下後）
【図１７】本発明の第３の実施形態における補聴器調整装置のＧＵＩ（モデラートボタン押下後）
【符号の説明】
【０１０７】
１０１  補聴器
１０２  調整ユニット
１０３  通信ユニット
１０４  補聴器調整装置
２０１  入力手段
２０２  制御手段
２０３  記憶手段
２０４  表示手段
２０５  通信手段
２０６  通信手段
２０７  制御手段
２０８  記憶手段
２０９  メモリ切り替え手段
２１０  音声入出力手段
５０１  設定Ａ
５０２  設定Ｂ
５０３  設定Ｃ
５０４  設定Ｄ
５０５  拡張メモリ
６０１  設定Ａ
６０２  設定Ｂ
６０３  設定Ｃ
６０４  設定Ｄ
６０５  拡張メモリ
７０１  設定Ａ
７０２  設定Ｂ
７０３  設定Ｃ
７０４  設定Ｄ
７０５  拡張メモリ
８０１  設定Ａ
８０２  設定Ｂ
８０３  設定Ｃ
８０４  設定Ｄ
８０５  拡張メモリ
９０１  設定Ａ
９０２  設定Ｂ
９０３  設定Ｃ
９０４  設定Ｄ
９０５  拡張メモリ
１００１  設定Ａ
１００２  設定Ｂ
１００３  設定Ｃ
１００４  設定Ｄ
１００５  拡張メモリ
１００６  警告ダイアログ
１００７  ドラッグ選択状態設定Ａ
１１０１  設定Ａ
１１０２  設定Ｂ
１１０３  設定Ｃ
１１０４  設定Ｄ
１１０５  拡張メモリ
１２０１  設定Ａ
１２０２  設定Ｂ
１２０３  設定Ｃ
１２０４  設定Ｄ
１２０５  拡張メモリ
１４０１  設定Ａ
１４０２  設定Ｂ
１４０３  設定Ｃ
１４０４  設定Ｄ
１４０５  拡張メモリ
１５０１  設定Ａ
１５０２  設定Ｂ
１５０３  設定Ｃ
１５０４  設定Ｄ
１５０５  拡張メモリ
１５０６  警告ダイアログ
１６０１  設定Ａ
１６０２  設定Ｂ
１６０３  設定Ｃ
１６０４  設定Ｄ
１６０５  拡張メモリ
【手続補正３】
【補正対象書類名】図面
【補正対象項目名】全図
【補正方法】変更
【補正の内容】
【図１】
2009093301.tif 000020
【図２】
2009093301.tif 000021
【図３】
2009093301.tif 000022
【図４】
2009093301.tif 000023
【図５】
2009093301.tif 000024
【図６】
2009093301.tif 000025
【図７】
2009093301.tif 000026
【図８】
2009093301.tif 000027
【図９】
2009093301.tif 000028
【図１０】
2009093301.tif 000029
【図１１】
2009093301.tif 000030
【図１２】
2009093301.tif 000031
【図１３】
2009093301.tif 000032
【図１４】
2009093301.tif 000033
【図１５】
2009093301.tif 000034
【図１６】
2009093301.tif 000035
【図１７】
2009093301.tif 000036
【国際調査報告】
2009093301.tif 000037
2009093301.tif 000038
2009093301.tif 000039
2009093301.tif 000040